(57)【要約】【課題】効率的に通信を行うことができる端末装置、基地局装置、通信方法および集積回路に関する技術を提供すること。【解決手段】１または複数の基地局装置から測定設定を受信する端末装置が、第１のＳＲＢおよび第２のＳＲＢを介してそれぞれの前記報告設定を受信し、第１の測定結果に含めるサービングセルの測定結果として、第１のセルグループのサービングセルと第２のセルグループのサービングセルの測定結果を含め、第２の測定結果に含めるサービングセルの測定結果として、第２のセルグループのサービングセルの測定結果を含める。【選択図】図１３
2020080444.tif 000002
【特許請求の範囲】
【請求項１】
１または複数の基地局装置から測定設定を受信する端末装置であって、
前記測定設定には、測定対象と報告設定と測定識別子とが含まれ、
前記測定対象には、個々の測定対象を識別するための識別子（測定対象識別子）と測定する周波数に関する情報が少なくとも含まれ、
前記報告設定には、個々の報告設定を識別するための識別子（報告設定識別子）と報告する条件に関する情報が少なくとも含まれ、
前記測定識別子は、前記測定対象識別子と前記報告設定識別子との組み合わせを示す情報のそれぞれを識別する識別子であり、
第１のシグナリング無線ベアラ（第１のＳＲＢ）および第２のシグナリング無線ベアラ（第２のＳＲＢ）を介してそれぞれの前記報告設定を受信する受信部と、
前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する送信部とを備え、
前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める端末装置。
【請求項２】
前記第１のＳＲＢから通知される信号に基づいて、前記第２の測定結果に含めるサービングセルの測定結果に、第１のセルグループのサービングセルの測定結果を含めるか否かを判断する請求項１記載の端末装置。
【請求項３】
端末装置に測定設定を送信する基地局装置（第１の基地局装置）であって、
前記測定設定には、測定対象と報告設定と測定識別子とが含まれ、
前記測定対象には、個々の測定対象を識別するための識別子（測定対象識別子）と測定する周波数に関する情報が少なくとも含まれ、
前記報告設定には、個々の報告設定を識別するための識別子（報告設定識別子）と報告する条件に関する情報が少なくとも含まれ、
前記測定識別子は、前記測定対象識別子と前記報告設定識別子との組み合わせを示す情報のそれぞれを識別する識別子であり、
前記端末装置から他の基地局装置（第２の基地局装置）に通知される測定結果に含めるサービングセルの測定結果に、第１の基地局装置のセルグループのサービングセルの測定結果を含めるか否かを判断する制御部と、
第１の基地局装置のセルグループのサービングセルの測定結果を含めるか否かを示す情報を前記端末装置に送信する送信部と
を備える基地局装置。
【請求項４】
１または複数の基地局装置から測定設定を受信する端末装置に適用される通信方法であって、
前記測定設定には、測定対象と報告設定と測定識別子とが含まれ、
前記測定対象には、個々の測定対象を識別するための識別子（測定対象識別子）と測定する周波数に関する情報が少なくとも含まれ、
前記報告設定には、個々の報告設定を識別するための識別子（報告設定識別子）と報告する条件に関する情報が少なくとも含まれ、
前記測定識別子は、前記測定対象識別子と前記報告設定識別子との組み合わせを示す情報のそれぞれを識別する識別子であり、
第１のシグナリング無線ベアラ（第１のＳＲＢ）および第２のシグナリング無線ベアラ（第２のＳＲＢ）を介してそれぞれの前記報告設定を受信するステップと、
前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信するステップとを含み、
前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める通信方法。
【請求項５】
端末装置に測定設定を送信する基地局装置（第１の基地局装置）に適用される通信方法であって、
前記測定設定には、測定対象と報告設定と測定識別子とが含まれ、
前記測定対象には、個々の測定対象を識別するための識別子（測定対象識別子）と測定する周波数に関する情報が少なくとも含まれ、
前記報告設定には、個々の報告設定を識別するための識別子（報告設定識別子）と報告する条件に関する情報が少なくとも含まれ、
前記測定識別子は、前記測定対象識別子と前記報告設定識別子との組み合わせを示す情報のそれぞれを識別する識別子であり、
前記端末装置から他の基地局装置（第２の基地局装置）に通知される測定結果に含めるサービングセルの測定結果に、第１の基地局装置のセルグループのサービングセルの測定結果を含めるか否かを判断するステップと、
第１の基地局装置のセルグループのサービングセルの測定結果を含めるか否かを示す情報を前記端末装置に送信するステップとを含む通信方法。
【請求項６】
１または複数の基地局装置から測定設定を受信する端末装置に実装される集積回路であって、
前記測定設定には、測定対象と報告設定と測定識別子とが含まれ、
前記測定対象には、個々の測定対象を識別するための識別子（測定対象識別子）と測定する周波数に関する情報が少なくとも含まれ、
前記報告設定には、個々の報告設定を識別するための識別子（報告設定識別子）と報告する条件に関する情報が少なくとも含まれ、
前記測定識別子は、前記測定対象識別子と前記報告設定識別子との組み合わせを示す情報のそれぞれを識別する識別子であり、
第１のシグナリング無線ベアラ（第１のＳＲＢ）および第２のシグナリング無線ベアラ（第２のＳＲＢ）を介してそれぞれの前記報告設定を受信する機能と、
前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する機能とを前記端末装置に対して発揮させ、
前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める集積回路。
【請求項７】
端末装置に測定設定を送信する基地局装置（第１の基地局装置）に実装される集積回路であって、
前記測定設定には、測定対象と報告設定と測定識別子とが含まれ、
前記測定対象には、個々の測定対象を識別するための識別子（測定対象識別子）と測定する周波数に関する情報が少なくとも含まれ、
前記報告設定には、個々の報告設定を識別するための識別子（報告設定識別子）と報告する条件に関する情報が少なくとも含まれ、
前記測定識別子は、前記測定対象識別子と前記報告設定識別子との組み合わせを示す情報のそれぞれを識別する識別子であり、
前記端末装置から他の基地局装置（第２の基地局装置）に通知される測定結果に含めるサービングセルの測定結果に、第１の基地局装置のセルグループのサービングセルの測定結果を含めるか否かを判断する機能と、
第１の基地局装置のセルグループのサービングセルの測定結果を含めるか否かを示す情報を前記端末装置に送信する機能とを前記基地局装置に対して発揮させる集積回路。
【発明の詳細な説明】
【技術分野】
【０００１】
本発明は、端末装置、基地局装置、通信方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【先行技術文献】
【非特許文献】
【０００４】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】３ＧＰＰ  Ｒ２−１７００５７４  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿ＡＨｓ／２０１７＿０１＿ＮＲ／Ｄｏｃｓ／Ｒ２−１７００５７４．ｚｉｐ
【非特許文献３】３ＧＰＰ  Ｒ２−１７０１９６７  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿９７／Ｄｏｃｓ／Ｒ２−１７０１９６７．ｚｉｐ
【発明の概要】
【発明が解決しようとする課題】
【０００５】
ＬＴＥとＮＲの両方のＲＡＴ（Ｒａｄｉｏ  Ａｃｃｅｓｓ  Ｔｅｃｈｎｏｌｏｇｙ）のセルをＲＡＴ毎にセルグループ化して端末装置に割り当て、端末装置と１つ以上の基地局装置とが通信する仕組み（ＥＮ−ＤＣ：Ｅ−ＵＴＲＡ−ＮＲ  Ｄｕａｌ  Ｃｏｎｎｅｃｔｉｖｉｔｙ）が検討されている（非特許文献２）。
【０００６】
さらに、ＥＮ−ＤＣでは、基地局装置と端末装置が、一部の無線リソース制御（ＲＲＣ）測定の設定および報告をセルグループ毎に直接行い、通信に用いる適切なセルを選択する仕組みが検討されている（非特許文献３）。
【０００７】
しかしながら、従来のＬＴＥのセルを用いたＤＣ（Ｄｕａｌ  Ｃｏｎｎｅｃｔｉｖｉｔｙ）では、測定の設定および報告は１つのセルグループでのみ行われていたため、これを複数のセルグループに適用すると、基地局装置と端末装置との通信を効率的に行うことができないという課題があった。
【０００８】
本発明の一態様は、上記した事情に鑑みてなされたもので、基地局装置との通信を効率的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【０００９】
（１）上記の目的を達成するために、本発明の一態様は、以下のような手段を講じた。すなわち、本発明の第１の態様は、１または複数の基地局装置から測定設定を受信する端末装置であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信する受信部と、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する送信部とを備え、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【００１０】
（２）本発明の第２の態様は、端末装置に測定設定を送信する基地局装置（第１の基地局装置）であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断する制御部と、第１の基地局装置のセルグループのサービングセルの測定結果を含めるか否かを示す情報を前記端末装置に送信する送信部とを備える。
【００１１】
（３）本発明の第３の態様は、１または複数の基地局装置から測定設定を受信する端末装置に適用される通信方法であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信するステップと、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信するステップとを含み、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【００１２】
（４）本発明の第４の態様は、端末装置に測定設定を送信する基地局装置（第１の基地局装置）に適用される通信方法であって、前記測定設定には、測定対象と報告設定と測定識別子とが含まれ、前記測定対象には、個々の測定対象を識別するための識別子（測定対
象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断するステップと、第１の基地局装置のセルグループのサービングセルの測定結果を含めるか否かを示す情報を前記端末装置に送信するステップとを含む。
【００１３】
（５）本発明の第５の態様は、１または複数の基地局装置から測定設定を受信する端末装置に実装される集積回路であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信する機能と、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する機能とを前記端末装置に対して発揮させ、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【００１４】
（６）本発明の第６の態様は、端末装置に測定設定を送信する基地局装置（第１の基地局装置）に実装される集積回路であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断する機能と、第１の基地局装置のセルグループのサービングセルの測定結果を含めるか否かを示す情報を前記端末装置に送信する機能とを前記基地局装置に対して発揮させる。
【発明の効果】
【００１５】
本発明の一態様によれば、端末装置および基地局装置は、効率的に通信を行うことができる。
【図面の簡単な説明】
【００１６】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレ−ム、スロット、ミニスロットの時間領域における関係を示した図である。
【図６】本発明の実施形態に係るスロットまたはサブフレ−ムの一例を示す図である。
【図７】本発明の実施形態に係るＰＳＣｅｌｌ（ＳＮ）追加に関連する動作の一例を示す図である。
【図８】本発明の実施形態に係るＳＮのＳＣｅｌｌ追加に関連する動作の一例を示す図である。
【図９】本発明の実施形態に係るＳＮのＳＣｅｌｌ追加に関連する動作の一例を示す図である。
【図１０】本発明の実施形態に係るＲＲＣ接続再設定メッセージの一例を示す図である。
【図１１】本発明の実施形態に係るＲＲＣ接続再設定メッセージに含まれる要素の一例を示す図である。
【図１２】本発明の実施形態に係るＲＲＣ接続再設定メッセージに含まれる要素の一例を示す図である。
【図１３】本発明の実施形態に係る測定設定手順の一例を示す図である。
【図１４】本発明の実施形態に係る測定設定の一例を示す図である。
【図１５】本発明の実施形態に係る測定設定手順の別の一例を示す図である。
【図１６】本発明の実施形態に係る測定設定の別の一例を示す図である。
【図１７】本発明の実施形態に係る測定結果の一例を示す図である。
【図１８】本発明の実施形態に係るサービングセルの測定結果の一例を示す図である。
【図１９】本発明の実施形態に係る隣接セルの測定結果の一例を示す図である。
【発明を実施するための形態】
【００１７】
以下、本発明の実施形態について説明する。
【００１８】
本実施形態の無線通信システム、および無線ネットワークについて説明する。
【００１９】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＤｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００２０】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。基地局装置３は、コアネットワーク装置を含んでもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、ビ−ムフォーミングで使用されるビ−ムのインデックス、クワジコロケ−ションのインデックスあるいはプリコ−ディングのインデックスに基づいて識別されてもよい。
【００２１】
基地局装置３がカバ−する通信エリアは周波数毎にそれぞれ異なる広さ、異なる形状で
あっても良い。また、カバ−するエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２２】
基地局装置３から端末装置２への無線通信リンクを下りリンクと称する。端末装置２から基地局装置３への無線通信リンクを上りリンクと称する。端末装置２から他の端末装置２への直接無線通信リンクをサイドリンクと称する。
【００２３】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フ−リエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２４】
また、図１において、端末装置２と基地局装置３の間の無線通信および／または端末装置２と他の端末装置２の間の無線通信では、ユニバ−サルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２５】
なお、本実施形態ではＯＦＤＭを伝送方式としてＯＦＤＭシンボルで説明するが、上述の他の伝送方式の場合を用いた場合も本発明に含まれる。例えば、本実施形態におけるＯＦＤＭシンボルはＳＣ−ＦＤＭシンボル（ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルと称される場合もある）であってもよい。
【００２６】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２７】
端末装置２は、セルの中を通信エリアとみなして動作する。端末装置２は、非無線接続時（アイドル状態、ＲＲＣ＿ＩＤＬＥ状態とも称する）において、セル再選択手順によって別の適切なセルへ移動してもよい。端末装置２は、無線接続時（コネクティッド状態、ＲＲＣ＿ＣＯＮＮＥＣＴＥＤ状態とも称する）において、ハンドオ−バ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２は、不活動状態（インアクティブ状態とも称する）において、セル再選択手順によって別の適切なセルへ移動してもよい。端末装置２は、不活動状態において、ハンドオ−バ手順によって別のセルへ移動してもよい。
【００２８】
端末装置２がある基地局装置３と通信可能であるとき、その基地局装置３のセルのうち、端末装置２との通信に使用されるように設定されているセルを在圏セル（Ｓｅｒｖｉｎ
ｇ  ｃｅｌｌ、サービングセル）と称して、その他の通信に使用されないセルは周辺セル（Ｎｅｉｇｈｂｏｒｉｎｇ  ｃｅｌｌ）と称してよい。また、サービングセルにおいて必要となるシステム情報の一部あるいは全部は、端末装置２に対して、別のセルで報知または通知される場合もある。
【００２９】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオ−バプロシージャにおいてプライマリセルと指示されたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。マスターセルグループは１つのプライマリセルと０個以上のセカンダリセルで構成される。セカンダリセルグループは１つのプライマリセカンダリセルと０個以上のセカンダリセルで構成される。また、ＭＣＧとＳＣＧの何れかはＬＴＥのセルで構成されるセルグループであってもよい。
【００３０】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００３１】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００３２】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００３３】
図１において、端末装置２と基地局装置３の下りリンク無線通信では、以下の下りリンク物理チャネルが用いられる。下りリンク物理チャネルは、上位層から出力された情報を送信するために使用される。
【００３４】
・ＮＲ−ＰＢＣＨ（Ｎｅｗ  Ｒａｄｉｏ  Ｐｈｙｓｉｃａｌ  Ｂｒｏａｄｃａｓｔ  ＣＨａｎｎｅｌ）
・ＮＲ−ＰＤＣＣＨ（Ｎｅｗ  Ｒａｄｉｏ  Ｐｈｙｓｉｃａｌ  Ｄｏｗｎｌｉｎｋ  Ｃｏｎｔｒｏｌ  ＣＨａｎｎｅｌ）
・ＮＲ−ＰＤＳＣＨ（Ｎｅｗ  Ｒａｄｉｏ  Ｐｈｙｓｉｃａｌ  Ｄｏｗｎｌｉｎｋ  Ｓｈａｒｅｄ  ＣＨａｎｎｅｌ）
【００３５】
ＮＲ−ＰＢＣＨは、端末装置２が必要とする重要なシステム情報（Ｅｓｓｅｎｔｉａｌ
ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Ｗｒａｐ  ａｒｏｕｎｄ）。また、セル内の領域ごとに異なる重要情報ブロックが送信される場合には領域を識別できる情報（例えば、領域を構成する基地局送信ビームの識別子情報）が含まれてもよい。ここで、基地局送信ビームの識別子情報は、基地局送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる基地局送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。また、重要情報メッセージはシステム情報メッセージの一部であってもよい。また、重要情報メッセージの一部あるいは全部が、最少システム情報（Ｍｉｎｉｍｕｍ  ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。また、最少システム情報の一部のみがＰＢＣＨで報知され、残りの最少システム情報が後述するＮＲ−ＰＳＣＨで送信されてもよい。
【００３６】
ＮＲ−ＰＤＣＣＨは、下りリンクの無線通信（基地局装置３から端末装置２への無線通信）において、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３７】
例えば、ＤＣＩとして、スケジューリングされたＮＲ−ＰＤＳＣＨに対するＨＡＲＱ−ＡＣＫを送信するタイミング（例えば、ＮＲ−ＰＤＳＣＨに含まれる最後のシンボルからＨＡＲＱ−ＡＣＫ送信までのシンボル数）示す情報を含むＤＣＩが定義されてもよい。
【００３８】
例えば、ＤＣＩとして、１つのセルにおける１つの下りリンクの無線通信ＮＲ−ＰＤＳＣＨ（１つの下りリンクトランスポートブロックの送信）のスケジューリングのために用いられるＤＣＩが定義されてもよい。
【００３９】
例えば、ＤＣＩとして、１つのセルにおける１つの上りリンクの無線通信ＮＲ−ＰＵＳ
ＣＨ（１つの上りリンクトランスポートブロックの送信）のスケジューリングのために用いられるＤＣＩが定義されてもよい。
【００４０】
ここで、ＤＣＩには、ＮＲ−ＰＤＳＣＨあるいはＮＲ−ＰＵＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００４１】
ＮＲ−ＰＤＳＣＨは、媒介アクセス（ＭＡＣ：Ｍｅｄｉｕｍ  Ａｃｃｅｓｓ  Ｃｏｎｔｒｏｌ）からの下りリンクデータ（ＤＬ−ＳＣＨ：Ｄｏｗｎｌｉｎｋ  Ｓｈａｒｅｄ  ＣＨａｎｎｅｌ）の送信に用いられる。また、システム情報（ＳＩ：Ｓｙｓｔｅｍ  Ｉｎｆｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００４２】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ ｉｎｆｏｒｍａｔｉｏｎ：Ｒａｄｉｏ  Ｒｅｓｏｕｒｃｅ  Ｃ
ｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４３】
ＮＲ−ＰＤＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置固有（ＵＥスペシフィック）な情報は、ある端末装置２に対して専用のシグナリングを用いて送信されてもよい。
【００４４】
ＮＲ−ＰＲＡＣＨは、ランダムアクセスプリアンブルを送信するために用いられてもよい。ＮＲ−ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＮＲ−ＰＵＳＣＨ（ＵＬ−ＳＣＨ）リソースの要求を示すために用いられてもよい。
【００４５】
図１において、下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００４６】
同期信号は、端末装置２が下りリンクの周波数領域および時間領域の同期をとるために用いられる。同期信号は、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（Ｓｅｃｏｎｄ  Ｓｙｎｃｈｒｏｎｉｚａｔｉｏｎ  Ｓｉｇｎａｌ）を含んでよい。また、同期信号は、端末装置２がセル識別子（セルＩＤ：Ｃｅｌｌ  Ｉｄｅｎｔｉｆｉｅｒ、ＰＣＩ：Ｐｈｙｓｉｃａｌ  Ｃｅｌｌ  Ｉｄｅｎｔｉｆｉｅｒとも称する）を特定するために用いられてもよい。また、同期信号は、下りリンクビームフォーミングにおいて基地局装置３が用いる基地局送信ビームおよび／または端末装置２が用いる端末受信ビームの選択／識別／決定に用いられてよい。すなわち、同期信号は、基地局装置３によって下りリンク信号に対して適用された基地局送信ビームのインデックスを、端末装置２が選択／識別／決定するために用いられてもよい。ＮＲにおいて用いられる同期信号、プライマリ同期信号およびセカンダリ同期信号をそれぞれＮＲ−ＳＳ、ＮＲ−ＰＳＳ、ＮＲ−ＳＳＳと称してもよい。また、同期信号は、セルの品質を測定するために用いられてもよい。例えば同期信号の受信電力（ＳＳＲＰ）や受信品質（ＳＳＲＱ）が測定に用いられてよい。また、同期信号は、一部の下りリンク物理チャネルの伝搬路補正を行なうために用いられてもよい。
【００４７】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００４８】
・ＤＭＲＳ（Ｄｅｍｏｄｕｌａｔｉｏｎ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
・ＰＴＲＳ（Ｐｈａｓｅ  Ｔｒａｃｋｉｎｇ  Ｒｅｆｅｒｅｎｃｅ  Ｓｉｇｎａｌ）
・ＭＲＳ（Ｍｏｂｉｌｉｔｙ  Ｒｅｆｅｒｅｎｃｅ  Ｓｉｇｎａｌ）
【００４９】
ＤＭＲＳは、受信した変調信号の復調時の伝搬路補償に用いられてよい。ＤＭＲＳは、ＮＲ−ＰＤＳＣＨの復調用、ＮＲ−ＰＤＣＣＨの復調用、および／またはＮＲ−ＰＢＣＨの復調用のＤＭＲＳを総じてＤＭＲＳと称してもよいし、それぞれ個別に定義されてもよい。
【００５０】
ＣＳＩ−ＲＳは、チャネル状態測定に用いられてよい。ＰＴＲＳは、端末の移動等により位相をトラックするために使用されてよい。ＭＲＳは、ハンドオーバのための複数の基地局装置からの受信品質を測定するために使用されてよい。
【００５１】
また、参照信号には、位相雑音を補償するための参照信号が定義されてもよい。
【００５２】
ただし、上記複数の参照信号の少なくとも一部は、他の参照信号がその機能を有してもよい。
【００５３】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置２に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００５４】
また、参照信号の少なくとも１つは、無線パラメータやサブキャリア間隔などのヌメロ
ロジーやＦＦＴの窓同期などができる程度の細かい同期（Ｆｉｎｅ  ｓｙｎｃｈｒｏｎｉｚａｔｉｏｎ）に用いられて良い。
【００５５】
また、参照信号の少なくとも１つは、無線リソース測定（ＲＲＭ：Ｒａｄｉｏ  Ｒｅｓｏｕｒｃｅ  Ｍｅａｓｕｒｅｍｅｎｔ）に用いられてよい。また、参照信号の少なくとも１つは、ビームマネジメントに用いられてよい。無線リソース測定のことを以下では単に測定とも称する。
【００５６】
また、参照信号の少なくとも１つに、同期信号が含まれてもよい。
【００５７】
図１において、端末装置２と基地局装置３の上りリンク無線通信（端末装置２から基地局装置３の無線通信）では、以下の上りリンク物理チャネルが用いられる。上りリンク物理チャネルは、上位層から出力された情報を送信するために使用される。
【００５８】
・ＮＲ−ＰＵＣＣＨ（Ｎｅｗ  Ｒａｄｉｏ  Ｐｈｙｓｉｃａｌ  Ｕｐｌｉｎｋ  Ｃｏｎｔｒｏｌ  ＣＨａｎｎｅｌ）
・ＮＲ−ＰＵＳＣＨ（Ｎｅｗ  Ｒａｄｉｏ  Ｐｈｙｓｉｃａｌ  Ｕｐｌｉｎｋ  Ｓｈａｒｅｄ  ＣＨａｎｎｅｌ）
・ＮＲ−ＰＲＡＣＨ（Ｎｅｗ  Ｒａｄｉｏ  Ｐｈｙｓｉｃａｌ  Ｒａｎｄｏｍ  Ａｃｃｅｓｓ  ＣＨａｎｎｅｌ）
【００５９】
ＮＲ−ＰＵＣＣＨは、上りリンク制御情報（Ｕｐｌｉｎｋ  Ｃｏｎｔｒｏｌ  Ｉｎｆｏｒｍａｔｉｏｎ：ＵＣＩ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００６０】
ＮＲ−ＰＵＳＣＨは、媒介アクセス（ＭＡＣ：Ｍｅｄｉｕｍ  Ａｃｃｅｓｓ  Ｃｏｎｔｒｏｌ）からの上りリンクデータ（ＵＬ−ＳＣＨ：Ｕｐｌｉｎｋ  Ｓｈａｒｅｄ  ＣＨａｎｎｅｌ）の送信に用いられる。また、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００６１】
ＮＲ−ＰＵＳＣＨは、ＲＲＣシグナリング、および、ＭＡＣコントロールエレメントを送信するために用いられてもよい。ここで、ＮＲ−ＰＵＳＣＨは、上りリンクに置いてＵＥの能力（ＵＥ  Ｃａｐａｂｉｌｉｔｙ）の送信に用いられてもよい。
【００６２】
なお、ＮＲ−ＰＤＣＣＨとＮＲ−ＰＵＣＣＨには同一の呼称（例えばＮＲ−ＰＣＣＨ）および同一のチャネル定義が用いられてもよいし。ＮＲ−ＰＤＳＣＨとＮＲ−ＰＵＳＣＨには同一の呼称（例えばＮＲ−ＰＳＣＨ）および同一のチャネル定義が用いられてもよい。
【００６３】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）デ−タの単位である。物理層において、トランスポートブロックはコ−ドワードにマップされ、コ−ドワード毎に符号化処理が行なわれる。
【００６４】
本実施形態の無線プロトコル構造について説明する。
【００６５】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御デ−タを扱うプロトコルスタックを制御プレ−ン（ＣＰ（Ｃｏｎｔｒｏｌ−ｐｌａｎｅ、Ｃ−Ｐｌａｎｅ））プロトコルスタックと称する。
【００６６】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデ−タが移動する。端末装置２と基地局装置３のＰＨＹ層間において、物理チャネルを介してデ−タの送受信が行われる。
【００６７】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００６８】
ＲＬＣ層は、上位層から受信したデ−タを分割（Ｓｅｇｍｅｎｔａｔｉｏｎ）し、下位層が適切にデ−タ送信できるようにデ−タサイズを調節する。また、ＲＬＣ層は、各デ−タが要求するＱｏＳ（Ｑｕａｌｉｔｙ  ｏｆ  Ｓｅｒｖｉｃｅ）を保証するための機能も持つ。すなわち、ＲＬＣ層は、デ−タの再送制御等の機能を持つ。
【００６９】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持ってもよい。また、ＰＤＣＰ層は、デ−タの暗号化の機能も持ってもよい。
【００７０】
さらに、制御プレ−ンプロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００７１】
ＳＲＢはＲＲＣメッセージとＮＡＳメッセージを送信するために用いられる無線ベアラとして定義される。さらに、ＳＲＢは、ＣＣＣＨ論理チャネルを用いるＲＲＣメッセージのためのＳＲＢ（ＳＲＢ０）、ＤＣＣＨ論理チャネルを用いるＲＲＣメッセージとＳＲＢ２の確立よりも前に送信されるＮＡＳメッセージのためのＳＲＢ（ＳＲＢ１）、ＤＣＣＨ論理チャネルを用いるＮＡＳメッセージと記録された測定情報（Ｌｏｇｇｅｄ  ｍｅａｓｕｒｅｍｅｎｔ  ｉｎｆｏｒｍａｔｉｏｎ）などを含むＲＲＣメッセージのためのＳＲＢ（ＳＲＢ２）、が定義されてよい。また、それ以外のＳＲＢが定義されてよい。
【００７２】
ＭＣＧ  ＳＲＢは、ＭＣＧのＳＲＢを用いて、送信される。ＭＣＧ  Ｓｐｌｉｔ  ＳＲＢは、ＭＣＧまたはＳＣＧのＳＲＢを用いて、送信されるが、ＰＤＣＰが、ＭＣＧ側に配置されるので、本明細書では、ＭＣＧ  ＳＲＢとして説明する。すなわち、“ＭＣＧ  ＳＲＢ“は、“ＭＣＧ  ＳＲＢおよび／またはＭＣＧ  Ｓｐｌｉｔ  ＳＲＢ“と置き換えてもよい。ＳＣＧ  ＳＲＢは、ＳＣＧのＳＲＢを用いて、送信される。ＳＣＧ  Ｓｐｌｉｔ
ＳＲＢは、ＭＣＧまたはＳＣＧのＳＲＢを用いて、送信されるが、ＰＤＣＰが、ＳＣＧ側に配置されるので、本明細書では、ＳＣＧ  ＳＲＢとして説明する。すなわち、“ＳＣＧ  ＳＲＢ“は、“ＳＣＧ  ＳＲＢおよび／またはＳＣＧ  Ｓｐｌｉｔ  ＳＲＢ“と置き換えてもよい。
【００７３】
また、ＭＣＧ  ＳＲＢにはＳＲＢ０とＳＲＢ１とＳＲＢ２とが用意されるかもしれない。また、ＳＣＧ  ＳＲＢにはＳＲＢ０および／またはＳＲＢ１が用意されないかもしれない。
【００７４】
また、ＭＣＧ  ＳＲＢでは、ＮＡＳメッセージおよびＲＲＣメッセージを送ることができ、ＳＣＧ  ＳＲＢでは、ＲＲＣメッセージを送ることができるようにしてもよい。ＳＣＧ  ＳＲＢでは、ＮＡＳメッセージを送ることができないようにしてもよい。
【００７５】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデ−タリンク層に対応し、ＲＲＣ層はＯＳＩモデルの第三層であるネットワーク層に対応する。
【００７６】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロ−ルエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層である。ＲＲＣ層から見て、例えばＮＡＳ層は、上層（Ｕｐｐｅｒ  Ｌａｙｅｒ）とも称する。
【００７７】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００７８】
以下、サブフレ−ムについて説明する。本実施形態ではサブフレ−ムと称するが、リソースユニット、無線フレ−ム、時間区間、時間間隔などと称されてもよい。また、１つまたは複数のサブフレ−ムが１つの無線フレ−ムを構成してもよい。
【００７９】
図４は、本発明の実施形態に係る下りリンクスロットの概略構成の一例を示す図である。無線フレ−ムのそれぞれは、１０ｍｓ長である。また、無線フレ−ムのそれぞれは１０個のサブフレ−ムおよびＸ個のスロットから構成される。つまり、１サブフレ−ムの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００８０】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００８１】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Ｅｘｔｅｎｄｅｄ  ＣＰ）の場合、１つの物理リソースブロックは、例えば、時間領域において６個の連続するOFDMシンボルと、周波数領域において１２個の連続するサブキャリアとにより定義される。つまり、1つ
の物理リソースブロックは、（６×１２）個のリソースエレメントから構成される。このとき、1つの物理リソースブロックは、時間領域において１つのスロットに対応し、１５
ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００８２】
次に、サブフレ−ム、スロット、ミニスロットについて説明する。図５は、サブフレ−ム、スロット、ミニスロットの時間領域における関係を示した図である。同図のように、３種類の時間ユニットが定義される。サブフレ−ムは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレ−ムには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の
場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００８３】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジュ−リングの最小単位はスロットまたはミニスロットでよい。
【００８４】
図６は、スロットまたはサブフレ−ム（サブフレ−ムタイプ）の一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパ−ト（デュレ−ション）
・ギャップ
・上りリンクパ−ト（デュレ−ション）
のうち１つまたは複数を含んでよい。
【００８５】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＣＣHを介して上りリンクのスケジュ
−リングを行い、ＰＣＣＨの処理遅延及び下りから上りの切り替え時間、送信信号の生成のためのギャップを介して上りリンク信号を送信する。図６（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図６（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデ−タ、すなわちＵＬ−ＳＣＨの送信に用いられてもよい。図６（ｅ）は、全て上りリンク送信（上りリンクのＰＳＣＨまたはＰＣＣＨ）に用いられている例である。
【００８６】
上述の下りリンクパ−ト、上りリンクパ−トは、ＬＴＥと同様複数のＯＦＤＭシンボルで構成されてよい。
【００８７】
ＬＴＥの測定（ｍｅａｓｕｒｅｍｅｎｔ）について、説明を行う。
【００８８】
基地局装置３は、端末装置２に対して、ＲＲＣシグナリング（無線リソース制御信号）のＲＲＣ接続再設定（ＲＲＣＣｏｎｎｅｃｔｉｏｎＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）メッセージを送信する。端末装置２は、測定設定（Ｍｅａｓｕｒｅｍｅｎｔ  ｃｏｎｆｉｇｕｒａｔｉｏｎ）メッセージに含まれるシステム情報を設定するとともに、通知されたシステム情報に従って、サービングセルおよび隣接セル（リストセル（ｌｉｓｔｅｄ  ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎｔ  
ｏｂｊｅｃｔ）にリストされているセル（基地局装置３から端末装置２へ隣接セルリストとして通知されているセル）であり、検出セルは、測定対象（Ｍｅａｓｕｒｅｍｅｎｔ  ｏｂｊｅｃｔ）によって指示された周波数において端末装置２が検出したが、測定対象（Ｍｅａｓｕｒｅｍｅｎｔ  ｏｂｊｅｃｔ）にはリストされていないセル（隣接セルリストとして通知されていない端末装置２自身が検出したセル）である。
【００８９】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＥＵＴＲＡ）とは異なる無線技術（例えばＵＴＲＡ、ＧＥＲＡＮ，ＣＤＭＡ２０００など）での測定である。さらに、無線アクセス技術間測定には、ＮＲの測定が含まれてもよい。
【００９０】
測定設定（Ｍｅａｓｕｒｅｍｅｎｔ  ｃｏｎｆｉｇｕｒａｔｉｏｎ）メッセージには、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれる。
【００９１】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＥＵＴＲＡの場合、第３層フィルタ係数（Ｌ３  ｆｉｌｔｅｒｉｎｇ
ｃｏｅｆｆｉｃｉｅｎｔ）を指定する。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、端末装置２でイベント評価に利用される。
【００９２】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔｉｏｎ）を制御するために利用される。測定ギャップ設定（ｍｅａｓＧａｐＣｏｎｆｉｇ）では、測定ギャップを活性化させる場合の情報として、ギャップパターン（ｇａｐ  ｐａｔｔｅｒｎ）、開始システムフレ−ム番号（ｓｔａｒｔＳＦＮ）、開始サブフレ−ム番号（ｓｔａｒｔＳｕｂｆｒａｍｅＮｕｍｂｅｒ）が通知される。ギャップパターン（ｇａｐ  ｐａｔｔｅｒｎ）は、測定ギャップ（ｍｅａｓｕｒｅｍｅｎｔ  ｇａｐ）として、どのパターンを使うかを規定する。開始システムフレ−ム番号（ｓｔａｒｔＳＦＮ）は、測定ギャップ（ｍｅａｓｕｒｅｍｅｎｔ  ｇａｐ）を開始するＳＦＮ（Ｓｙｓｔｅｍ  Ｆｒａｍｅ  Ｎｕｍｂｅｒ）を規定する。開始サブフレ−ム番号（ｓｔａｒｔＳｕｂｆｒａｍｅＮｕｍｂｅｒ）は、測定ギャップ（ｍｅａｓｕｒｅｍｅｎｔ  ｇａｐ）を開始するサブフレ−ム番号を規定する。
【００９３】
＜サービングセル品質閾値（ｓ−Ｍｅａｓｕｒｅ）＞
サービングセル品質閾値（ｓ−Ｍｅａｓｕｒｅ）は、サービングセルの品質に関する閾
値を表し、端末装置２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）に対する値として設定される。
【００９４】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定（Ｍｅａｓｕｒｅｍｅｎｔ  ｃｏｎｆｉｇｕｒａｔｉｏｎ）メッセージは、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【００９５】
ｍｅａｓＯｂｊｅｃｔＴｏＲｅｍｏｖｅＬｉｓｔは、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除するコマンドである。この際、指定された測定対象識別子（ｍｅａｓＯｂｊｅｃｔＩｄ）に対応付けられたすべての測定識別子（ｍｅａｓＩｄ）は、削除される。このコマンドは、同時に複数の測定対象識別子（ｍｅａｓＯｂｊｅｃｔＩｄ）の指定が可能である。
【００９６】
ｍｅａｓＯｂｊｅｃｔＴｏＡｄｄＭｏｄｉｆｙＬｉｓｔは、指定された測定対象識別子（ｍｅａｓＯｂｊｅｃｔＩｄ）を指定された測定対象（Ｍｅａｓｕｒｅｍｅｎｔ  ｏｂｊｅｃｔｓ）に修正、または、指定された測定対象識別子（ｍｅａｓＯｂｊｅｃｔＩｄ）と指定された測定対象（Ｍｅａｓｕｒｅｍｅｎｔ  ｏｂｊｅｃｔｓ）を追加するコマンドである。このコマンドは、同時に複数の測定対象識別子（ｍｅａｓＯｂｊｅｃｔＩｄ）の指定が可能である。
【００９７】
ｒｅｐｏｒｔＣｏｎｆｉｇＴｏＲｅｍｏｖｅＬｉｓｔは、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除するコマンドである。この際、指定された報告設定識別子（ｒｅｐｏｒｔＣｏｎｆｉｇＩｄ）に対応付けられたすべての測定識別子（ｍｅａｓＩｄ）は、削除される。このコマンドは、同時に複数の報告設定識別子（ｒｅｐｏｒｔＣｏｎｆｉｇＩｄ）の指定が可能である。
【００９８】
ｒｅｐｏｒｔＣｏｎｆｉｇＴｏＡｄｄＭｏｄｉｆｙＬｉｓｔは、指定された報告設定識別子（ｒｅｐｏｒｔＣｏｎｆｉｇＩｄ）を指定された報告設定（Ｒｅｐｏｒｔｉｎｇ  ｃｏｎｆｉｇｕｒａｔｉｏｎｓ）に修正、または、指定された報告設定識別子（ｒｅｐｏｒｔＣｏｎｆｉｇＩｄ）と指定された報告設定（Ｒｅｐｏｒｔｉｎｇ  ｃｏｎｆｉｇｕｒａｔｉｏｎｓ）を追加するコマンドである。このコマンドは、同時に複数の報告設定識別子（ｒｅｐｏｒｔＣｏｎｆｉｇＩｄ）の指定が可能である。
【００９９】
ｍｅａｓＩｄＴｏＲｅｍｏｖｅＬｉｓｔは、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【０１００】
ｍｅａｓＩｄＴｏＡｄｄＭｏｄｉｆｙＬｉｓｔは、指定された測定識別子（ｍｅａｓＩｄ）を指定された測定対象識別子（ｍｅａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【０１０１】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに規定されている。また、報告設定（Ｒｅｐｏｒｔｉｎｇ  ｃｏｎｆｉｇｕｒａｔｉｏｎｓ）は、ＥＵＴＲＡに対する規定と、ＥＵＴＲＡ以外のＲＡＴに対する規定がある。
【０１０２】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＥＵＴＲＡ（ｍｅａｓＯｂｊｅｃｔＥＵＴＲＡ）、測定対象ＵＴＲＡ（ｍｅａｓＯｂｊｅｃｔＵＴＲＡ）、測定対象ＧＥＲＡＮ（ｍｅａｓＯｂｊｅｃｔＧＥＲＡＮ）、測定対象ＣＤＭＡ２０００（ｍｅａｓＯｂｊｅｃｔＣＤＭＡ２０００）、測定対象ＷＬＡＮ（ｍｅａｓＯｂｊｅｃｔＷＬＡＮ）などが含まれる。また、測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＮＲ（ｍｅａｓＯｂｊｅｃｔＮＲ）が含まれてもよい。
【０１０３】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごとに規定されている。測定対象（Ｍｅａｓｕｒｅｍｅｎｔ  ｏｂｊｅｃｔｓ）は、ＥＵＴＲＡ、ＵＴＲＡ、ＧＥＲＡＮ、ＣＤＭＡ２０００に対して別途仕様化されている。ＥＵＴＲＡに対する測定対象（Ｍｅａｓｕｒｅｍｅｎｔ  ｏｂｊｅｃｔｓ）である測定対象ＥＵＴＲＡ（ｍｅａｓＯｂｊｅｃｔＥＵＴＲＡ）は、ＥＵＴＲＡの隣接セルに対して適用される情報を規定する。また、測定対象ＥＵＴＲＡ（ｍｅａｓＯｂｊｅｃｔＥＵＴＲＡ）のなかで異なる周波数のものは異なる測定対象（Ｍｅａｓｕｒｅｍｅｎｔ  ｏｂｊｅｃｔｓ）として扱われ、別途測定対象識別子（ｍｅａｓＯｂｊｅｃｔＩｄ）が割り当てられる。
【０１０４】
測定対象ＥＵＴＲＡ（ｍｅａｓＯｂｊｅｃｔＥＵＴＲＡ）には、ＥＵＴＲＡ搬送波周波数情報（ｅｕｔｒａ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ
ｌｉｓｔ）に関する情報が含まれる。
【０１０５】
次に、測定対象ＥＵＴＲＡ（ｍｅａｓＯｂｊｅｃｔＥＵＴＲＡ）に含まれる情報ついて説明する。ＥＵＴＲＡ搬送波周波数情報（ｅｕｔｒａ−ＣａｒｒｉｅｒＩｎｆｏ）は、測定対象とする搬送波周波数を指定する。測定帯域幅（ｍｅａｓｕｒｅｍｅｎｔＢａｎｄｗｉｄｔｈ）は、測定対象とする搬送波周波数で動作する全ての隣接セル共通な測定帯域幅を示す。オフセット周波数（ｏｆｆｓｅｔＦｒｅｑ）は、測定対象とする周波数において適用される測定オフセット値を示す。
【０１０６】
隣接セルリスト（ｎｅｉｇｈｂｏｕｒ  ｃｅｌｌ  ｌｉｓｔ）に関する情報は、イベント評価や、測定報告の対象となる隣接セルに関する情報を含む。隣接セルリスト（ｎｅｉ
ｇｈｂｏｕｒ  ｃｅｌｌ  ｌｉｓｔ）に関する情報としては、物理セル識別子（ｐｈｙｓｉｃａｌ  ｃｅｌｌ  ＩＤ）や、セル固有オフセット（ｃｅｌｌＩｎｄｉｖｉｄｕａｌＯｆｆｓｅｔ、隣接セルに対して適用する測定オフセット値を示す）などが含まれている。この情報は、ＥＵＴＲＡの場合、端末装置２が、既に、報知情報（報知されるシステム情報）から既に取得している隣接セルリスト（ｎｅｉｇｈｂｏｕｒ  ｃｅｌｌ  ｌｉｓｔ）に対して、追加・修正または削除を行うための情報として利用される。
【０１０７】
また、ブラックリスト（ｂｌａｃｋ  ｌｉｓｔ）に関する情報は、イベント評価や、測定報告の対象とならない隣接セルに関する情報を含む。ブラックリスト（ｂｌａｃｋ  ｌｉｓｔ）に関する情報としては、物理セル識別子（ｐｈｙｓｉｃａｌ  ｃｅｌｌ  ＩＤ）などが含まれる。この情報は、ＥＵＴＲＡの場合、端末装置２が、既に、報知情報から取得しているブラックセルリスト（ｂｌａｃｋ  ｌｉｓｔｅｄ  ｃｅｌｌ  ｌｉｓｔ）に対して、追加・修正または削除を行うための情報として利用される。
【０１０８】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別子（ｒｅｐｏｒｔＣｏｎｆｉｇＩｄ）と対応付けられた報告設定ＥＵＴＲＡ（ｒｅｐｏｒｔＣｏｎｆｉｇＥＵＴＲＡ）などが含まれる。
【０１０９】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＥＵＴＲＡに対する規定と、ＥＵＴＲＡ以外のＲＡＴ（ＵＴＲＡ、ＧＥＲＡＮ、ＣＤＭＡ２０００）に対する規定がある。ＥＵＴＲＡに対する報告設定（Ｒｅｐｏｒｔｉｎｇ  ｃｏｎｆｉｇｕｒａｔｉｏｎｓ）である報告設定ＥＵＴＲＡ（ｒｅｐｏｒｔＣｏｎｆｉｇＥＵＴＲＡ）は、ＥＵＴＲＡにおける測定の報告に利用するイベントのトリガ条件（ｔｒｉｇｇｅｒｉｎｇ  ｃｒｉｔｅｒｉａ）を規定する。
【０１１０】
また、報告設定ＥＵＴＲＡ（ｒｅｐｏｒｔＣｏｎｆｉｇＥＵＴＲＡ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）が含まれる。
【０１１１】
次に、報告設定ＥＵＴＲＡ（ｒｅｐｏｒｔＣｏｎｆｉｇＥＵＴＲＡ）について説明する。イベント識別子（ｅｖｅｎｔＩｄ）は、イベントトリガ報告（ｅｖｅｎｔ  ｔｒｉｇｇｅｒｅｄ  ｒｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ
ｒｅｐｏｒｔｉｎｇ）もある。
【０１１２】
イベントトリガ条件としては、後述の８種類が少なくとも規定されている。すなわち、イベント識別子（ｅｖｅｎｔＩｄ）によって指定されたイベントトリガ条件を満たした場合、端末装置２は、基地局装置３に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、または、参照信号受信品
質（ＲＳＲＱ：Ｒｅｆｅｒｅｎｃｅ  Ｓｉｇｎａｌ  Ｒｅｃｅｉｖｅｄ  Ｑｕａｌｉｔｙ）が指定される。すなわち、端末装置２は、このトリガ量（ｔｒｉｇｇｅｒＱｕａｎｔｉｔｙ）によって指定された量を利用して、下りリンク参照信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、参照信号受信電力（ＲＳＲＰ）および参照信号受信品質（ＲＳＲＱ）が指定される。ここで、参照信号受信品質（ＲＳＲＱ）は、（Ｎ＊ＲＳＲＰ）／（ＥＵＴＲＡ  Ｃａｒｒｉｅｒ  ＲＳＳＩ）で表される比である。受信信号強度（ＥＵＴＲＡ  Ｃａｒｒｉｅｒ  ＲＳＳＩ）は、全受信信号電力の強さを示し、測定帯域幅はシステム帯域幅と同じである。Ｎは受信信号強度（ＥＵＴＲＡ  Ｃａｒｒｉｅｒ  ＲＳＳＩ）の測定帯域幅に関するリソースブロック（ＲＢ：Ｒｅｓｏｕｒｃｅ  Ｂｌｏｃｋ）数である。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を規定する。
【０１１３】
尚、後述のイベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ5＿Ｔｈｒｅｓｈｏｌｄ１、ａ５＿Ｔｈｒｅｓｈｏｌｄ２、ａ６＿Ｏ
ｆｆｓｅｔ、ｃ１＿Ｔｈｒｅｓｈｏｌｄ、ｃ２＿Ｏｆｆｓｅｔ）は、報告設定ＥＵＴＲＡ（ｒｅｐｏｒｔＣｏｎｆｉｇＥＵＴＲＡ）において、イベント識別子（ｅｖｅｎｔＩｄ）と一緒に、端末装置２へ通知される。
【０１１４】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、基地局装置３から指定されたイベントに対する加入条件を満たした端末装置２は、基地局装置３に対して測定報告（ｍｅａｓｕｒｅｍｅｎｔ  ｒｅｐｏｒｔ）を送信する。また、基地局装置３から指定されたイベントに対する離脱条件を満たした端末装置２は、基地局装置３から離脱条件を満たす場合に報告をトリガするように設定されていた場合（報告設定にｒｅｐｏｒｔＯｎＬｅａｖｅが含まれる場合）に、基地局装置３に対して測定報告（ｍｅａｓｕｒｅｍｅｎｔ  ｒｅｐｏｒｔ）を送信する。以下が、各イベントに対する加入条件と離脱条件である。
【０１１５】
＜イベント（Ｅｖｅｎｔ）Ａ１＞
イベント（Ｅｖｅｎｔ）Ａ１加入条件：Ｍｓ−Ｈｙｓ＞ａ１＿Ｔｈｒｅｓｈｏｌｄ
イベント（Ｅｖｅｎｔ）Ａ１離脱条件：Ｍｓ＋Ｈｙｓ＜ａ１＿Ｔｈｒｅｓｈｏｌｄ
＜イベント（Ｅｖｅｎｔ）Ａ２＞
イベント（Ｅｖｅｎｔ）Ａ２加入条件：Ｍｓ−Ｈｙｓ＜ａ２＿Ｔｈｒｅｓｈｏｌｄ
イベント（Ｅｖｅｎｔ）Ａ２離脱条件：Ｍｓ＋Ｈｙｓ＞ａ２＿Ｔｈｒｅｓｈｏｌｄ
＜イベント（Ｅｖｅｎｔ）Ａ３＞
イベント（Ｅｖｅｎｔ）Ａ３加入条件：Ｍｎ＋Ｏｆｎ＋Ｏｃｎ−Ｈｙｓ＞Ｍｓ＋Ｏｆｓ＋Ｏｃｓ＋ａ３＿Ｏｆｆｓｅｔ
イベント（Ｅｖｅｎｔ）Ａ３離脱条件：Ｍｎ＋Ｏｆｎ＋Ｏｃｎ＋Ｈｙｓ＜Ｍｓ＋Ｏｆｓ＋Ｏｃｓ＋ａ３＿Ｏｆｆｓｅｔ
＜イベント（Ｅｖｅｎｔ）Ａ４＞
イベント（Ｅｖｅｎｔ）Ａ４加入条件：Ｍｎ＋Ｏｆｎ＋Ｏｃｎ−Ｈｙｓ＞ａ４＿Ｔｈｒｅｓｈｏｌｄ
イベント（Ｅｖｅｎｔ）Ａ４離脱条件：Ｍｎ＋Ｏｆｎ＋Ｏｃｎ＋Ｈｙｓ＜ａ４＿Ｔｈｒｅｓｈｏｌｄ
＜イベント（Ｅｖｅｎｔ）Ａ５＞
イベント（Ｅｖｅｎｔ）Ａ５加入条件：Ｍｓ−Ｈｙｓ＜ａ５＿Ｔｈｒｅｓｈｏｌｄ１，Ｍｎ＋Ｏｆｎ＋Ｏｃｎ-Ｈｙｓ＞ａ５＿Ｔｈｒｅｓｈｏｌｄ２
イベント（Ｅｖｅｎｔ）Ａ５離脱条件：Ｍｓ＋Ｈｙｓ＞ａ５＿Ｔｈｒｅｓｈｏｌｄ１，Ｍｎ＋Ｏｆｎ＋Ｏｃｎ＋Ｈｙｓ＜ａ５＿Ｔｈｒｅｓｈｏｌｄ２
＜イベント（Ｅｖｅｎｔ）Ａ６＞
イベント（Ｅｖｅｎｔ）Ａ６加入条件：Ｍｎ＋Ｏｃｎ−Ｈｙｓ＞Ｍｓ＋Ｏｃｓ＋ａ６＿Ｏｆｆｓｅｔ
イベント（Ｅｖｅｎｔ）Ａ６離脱条件：Ｍｎ＋Ｏｃｎ＋Ｈｙｓ＜Ｍｓ＋Ｏｃｓ＋ａ６＿Ｏｆｆｓｅｔ
＜イベント（Ｅｖｅｎｔ）Ｃ１＞
イベント（Ｅｖｅｎｔ）Ｃ１加入条件：Ｍｃｒ＋Ｏｃｒ−Ｈｙｓ＞ｃ１＿Ｔｈｒｅｓｈｏｌｄ
イベント（Ｅｖｅｎｔ）Ｃ１離脱条件：Ｍｃｒ＋Ｏｃｒ＋Ｈｙｓ＞ｃ１＿Ｔｈｒｅｓｈｏｌｄ
＜イベント（Ｅｖｅｎｔ）Ｃ２＞
イベント（Ｅｖｅｎｔ）Ｃ２加入条件：Ｍｃｒ＋Ｏｃｒ−Ｈｙｓ＞Ｍｒｅｆ＋Ｏｒｅｆ＋ｃ２＿Ｏｆｆｓｅｔ
イベント（Ｅｖｅｎｔ）Ｃ２離脱条件：Ｍｃｒ＋Ｏｃｒ＋Ｈｙｓ＞Ｍｒｅｆ＋Ｏｒｅｆ＋ｃ２＿Ｏｆｆｓｅｔ
【０１１６】
ここで、Ｍｓとは、サービングセルに対する測定結果である（セル特有の測定オフセット値を考慮しない）。Ｍｎとは、隣接セル（ｎｅｉｇｈｂｏｕｒ  ｃｅｌｌ）に対する測定結果である。Ｍｃｒとは、ＣＳＩ−ＲＳリソースの測定結果である（いずれの測定オフセット値も考慮しない）。Ｍｒｅｆとは、参照ＣＳＩ−ＲＳリソースの測定結果である（いずれの測定オフセット値も考慮しない）。参照ＣＳＩ−ＲＳリソースは、測定対象ＥＵＴＲＡ（ｍｅａｓＯｂｊｅｃｔＥＵＴＲＡ）で通知されるｃ２−ＲｅｆＣＳＩ−ＲＳとして定義される。Ｈｙｓとは、対象とするイベントに対するヒステリシスパラメータである。
【０１１７】
Ｏｆｎとは、隣接セルの周波数に対する周波数特有の測定オフセット値である。Ｏｆｎは、測定対象ＥＵＴＲＡ（ｍｅａｓＯｂｊｅｃｔＥＵＴＲＡ）のオフセット周波数（ｏｆｆｓｅｔＦｒｅｑ）に相当する。周波数内測定（ｉｎｔｒａ−ｆｒｅｑｕｅｎｃｙ  ｍｅａｓｕｒｅｍｅｎｔｓ）の場合、Ｏｆｎは、Ｏｆｓと同じである。周波数間測定（ｉｎｔｅｒ−ｆｒｅｑｕｅｎｃｙ  ｍｅａｓｕｒｅｍｅｎｔｓ）の場合、Ｏｆｎは、サービングセルとは異なる下りリンク周波数に対応する測定対象ＥＵＴＲＡ（ｍｅａｓＯｂｊｅｃｔＥＵＴＲＡ）に含まれるオフセット周波数（ｏｆｆｓｅｔＦｒｅｑ）である。
【０１１８】
Ｏｃｎとは、隣接セルに対するセル特有の測定オフセット値である。Ｏｃｎは、測定対象ＥＵＴＲＡ（ｍｅａｓＯｂｊｅｃｔＥＵＴＲＡ）のセル固有オフセット（ｃｅｌｌＩｎｄｉｖｉｄｕａｌＯｆｆｓｅｔ）に相当する。Ｏｃｎが設定されていない場合は、測定オフセット値を０とする。周波数内測定（ｉｎｔｒａ−ｆｒｅｑｕｅｎｃｙ  ｍｅａｓｕｒｅｍｅｎｔｓ）の場合、Ｏｃｎは、サービングセルと同じ下りリンク周波数の測定対象Ｅ
ＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。周波数間測定（ｉｎｔｅｒ−ｆｒｅｑｕｅｎｃｙ  ｍｅａｓｕｒｅｍｅｎｔｓ）の場合、Ｏｃｎは、サービングセルとは異なる下りリンク周波数に対応する測定対象ＥＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。
【０１１９】
Ｏｃｒとは、ＣＳＩ−ＲＳ特有の測定オフセット値である。Ｏｃｒは、ＣＳＩ−ＲＳリソースの周波数に関連する測定対象ＥＵＴＲＡ（ｍｅａｓＯｂｊｅｃｔＥＵＴＲＡ）のＣＳＩ−ＲＳ固有オフセット（ｃｓｉ−ＲＳ−ＩｎｄｉｖｉｄｕａｌＯｆｆｓｅｔ）に相当する。Ｏｃｒが設定されていない場合は、測定オフセット値を０とする。
【０１２０】
Ｏｆｓとは、サービングセルの周波数に対する周波数特有のオフセット値である。Ｏｆｓは、測定対象ＥＵＴＲＡ（ｍｅａｓＯｂｊｅｃｔＥＵＴＲＡ）のオフセット周波数（ｏｆｆｓｅｔＦｒｅｑ）に相当する。
【０１２１】
Ｏｃｓとは、サービングセルに対するセル特有の測定オフセット値である。Ｏｃｓは、サービングセルの周波数の測定対象ＥＵＴＲＡ（ｍｅａｓＯｂｊｅｃｔＥＵＴＲＡ）のセル固有オフセット（ｃｅｌｌＩｎｄｉｖｉｄｕａｌＯｆｆｓｅｔ）に含まれる。
【０１２２】
ａ１＿Ｔｈｒｅｓｈｏｌｄとは、イベントＡ１に対して利用される閾値パラメータである。ａ２＿Ｔｈｒｅｓｈｏｌｄとは、イベントＡ２に対して利用される閾値パラメータである。ａ３＿Ｏｆｆｓｅｔとは、イベントＡ３に対して利用されるオフセットパラメータである。ａ４＿Ｔｈｒｅｓｈｏｌｄとは、イベントＡ４に対して利用される閾値パラメータである。ａ５＿Ｔｈｒｅｓｈｏｌｄ１とａ５＿Ｔｈｒｅｓｈｏｌｄ２とは、イベントＡ５に対して利用される閾値パラメータである。ａ６＿Ｏｆｆｓｅｔとは、イベントＡ６に対して利用されるオフセットパラメータである。ｃ１＿Ｔｈｒｅｓｈｏｌｄとは、イベントＣ１に対して利用される閾値パラメータである。ｃ２＿Ｏｆｆｓｅｔとは、イベントＣ２に対して利用されるオフセットパラメータである。
【０１２３】
端末装置２はサービングセルの測定結果Ｍｓ及び隣接セルの測定結果Ｍｎにより各イベントを発生する。サービングセルの測定結果Ｍｓが、各パラメータの適用後、閾値ａ１＿Ｔｈｒｅｓｈｏｌｄよりよい場合、イベントＡ１が発生し、閾値ａ２＿Ｔｈｒｅｓｈｏｌｄより悪い場合、イベントＡ２が発生する。隣接セルの測定結果Ｍｎが、各パラメータの適用後、サービングセル測定結果Ｍｓ及びオフセットａ３＿Ｏｆｆｓｅｔより良い場合、イベントＡ３が発生し、隣接セルの測定結果Ｍｎが、各パラメータの適用後、閾値ａ４＿Ｔｈｒｅｓｈｏｌｄより良い場合、イベントＡ４が発生する。サービングセルの測定結果Ｍｓが、各パラメータの適用後、閾値ａ５＿Ｔｈｒｅｓｈｏｌｄ１より悪い且つ隣接セルの測定結果Ｍｎが、各パラメータの適用後、閾値ａ５＿Ｔｈｒｅｓｈｏｌｄ２より良い場合、イベントＡ５が発生する。
【０１２４】
また、ＥＵＴＲＡ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＥＵＴＲＡ以外のＲＡＴにおける測定の報告に利用するイベントのトリガ条件（ｔｒｉｇｇｅｒｉｎｇ  ｃｒｉｔｅｒｉａ）が複数定義されている。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生する。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生する。
【０１２５】
尚、基地局装置３は、サービングセル品質閾値（ｓ−Ｍｅａｓｕｒｅ）を通知する場合と通知しない場合がある。基地局装置３がサービングセル品質閾値（ｓ−Ｍｅａｓｕｒｅ）を通知する場合、端末装置２は、サービングセル（ｓｅｒｖｉｎｇ  ｃｅｌｌ）の品質（ＲＳＲＰ値）がサービングセル品質閾値（ｓ−Ｍｅａｓｕｒｅ）よりも低いときに、隣接セルの測定と、イベント評価（イベントトリガ条件を満たすか否か、報告条件（Ｒｅｐｏｒｔｉｎｇ  ｃｒｉｔｅｒｉａ）の評価とも言う）を行う。一方、基地局装置３がサービングセル品質閾値（ｓ−Ｍｅａｓｕｒｅ）を通知しない場合、端末装置２は、サービングセルの品質（ＲＳＲＰ値）によらず、隣接セルの測定と、イベント評価を行う。
【０１２６】
＜Ｍｅａｓｕｒｅｍｅｎｔ  Ｒｅｓｕｌｔについて＞
イベントトリガ条件を満たした端末装置２は、基地局装置３に対して、測定報告（Ｍｅａｓｕｒｅｍｅｎｔ  ｒｅｐｏｒｔ）を送信する。測定報告（Ｍｅａｓｕｒｅｍｅｎｔ  ｒｅｐｏｒｔ）には、測定結果（Ｍｅａｓｕｒｅｍｅｎｔ  ｒｅｓｕｌｔ）が含まれる。
【０１２７】
この測定結果（Ｍｅａｓｕｒｅｍｅｎｔ  ｒｅｓｕｌｔ）は、測定識別子（ｍｅａｓＩｄ）、サービングセル測定結果（ｍｅａｓＲｅｓｕｌｔＳｅｒｖｉｎｇ）、ＥＵＴＲＡ測定結果リスト（ｍｅａｓＲｅｓｕｌｔＬｉｓｔＥＵＴＲＡ）で構成される。ここで、ＥＵＴＲＡ測定結果リスト（ｍｅａｓＲｅｓｕｌｔＬｉｓｔＥＵＴＲＡ）には、物理セル識別子（ｐｈｙｓｉｃａｌＣｅｌｌＩｄｅｎｔｉｔｙ）、ＥＵＴＲＡセル測定結果（ｍｅａｓＲｅｓｕｌｔＥＵＴＲＡ）が含まれる。
【０１２８】
ここで、測定識別子（ｍｅａｓＩｄ）とは、前述のように、測定対象識別子（ｍｅａｓＯｂｊｅｃｔＩｄ）と報告設定識別子（ｒｅｐｏｒｔＣｏｎｆｉｇＩｄ）とのリンクに利用されていた識別子である。また、サービングセル測定結果（ｍｅａｓＲｅｓｕｌｔＳｅｒｖｉｎｇ）は、サービングセルに対する測定結果であり、サービングセルに対する参照信号受信電力（ＲＳＲＰ）および参照信号受信品質（ＲＳＲＱ）の両方の結果を報告する。サービングセルに対する測定結果は、測定結果には必ず含まれる。また、物理セル識別子（ｐｈｙｓｉｃａｌＣｅｌｌＩｄｅｎｔｉｔｙ）は、セルを識別するために利用する。ＥＵＴＲＡセル測定結果（ｍｅａｓＲｅｓｕｌｔＥＵＴＲＡ）は、ＥＵＴＲＡセルに対する測定結果である。隣接セルの測定結果は関連するイベントの発生時にのみ含まれる。
【０１２９】
ＮＲの測定（ｍｅａｓｕｒｅｍｅｎｔ）は、ＬＴＥと同等の測定設定および測定報告の仕組みが用いられてもよい。例えば、ＮＲの測定設定（Ｍｅａｓｕｒｅｍｅｎｔ  ｃｏｎｆｉｇｕｒａｔｉｏｎ）メッセージに、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれてよい。
【０１３０】
また、測定対象ＮＲ（ｍｅａｓＯｂｊｅｃｔＮＲ）には、ＮＲ搬送波周波数情報（ｅｕｔｒａ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ  ｌｉｓｔ）に関する情報の一部あるいは全部が含まれてよい。
【０１３１】
また、報告設定ＮＲ（ｒｅｐｏｒｔＣｏｎｆｉｇＮＲ）にはイベントトリガ報告に関する情報が含まれてよい。イベントトリガ条件としては、ＬＴＥのイベントＡ１からＡ６と同等のイベントが少なくとも含まれてよい。
【０１３２】
また、参照信号受信電力（ＲＳＲＰ）は、測定に同期信号が用いられる場合には、同期
信号受信電力（ＳＳＲＰ）に置き換えられてもよい。同様に、参照信号受信品質（ＲＳＲＱ）は、測定に同期信号が用いられる場合には、同期信号受信品質（ＳＳＲＱ）に置き換えられてもよい。
【０１３３】
以下にＮＲの測定（ｍｅａｓｕｒｅｍｅｎｔ）の一例を示す。なお、メッセージに含まれる情報および／またはメッセージの構造は一例であり、これに限定されるものではない。
【０１３４】
基地局装置３は、端末装置２に対して、ＲＲＣシグナリング（無線リソース制御信号）のＲＲＣ接続再設定（ＲＲＣＣｏｎｎｅｃｔｉｏｎＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）メッセージを送信する。端末装置２は、測定設定（Ｍｅａｓｕｒｅｍｅｎｔ  ｃｏｎｆｉｇｕｒａｔｉｏｎ）メッセージに含まれるシステム情報を設定するとともに、通知されたシステム情報に従って、サービングセルおよび隣接セル（リストセル（ｌｉｓｔｅｄ  ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎｔ  ｏｂｊｅｃｔ）にリストされているセル（基地局装置３から端末装置２へ隣接セルリストとして通知されているセル）であり、検出セルは、測定対象（Ｍｅａｓｕｒｅｍｅｎｔ  ｏｂｊｅｃｔ）によって指示された周波数において端末装置２が検出したが、測定対象（Ｍｅａｓｕｒｅｍｅｎｔ  ｏｂｊｅｃｔ）にはリストされていないセル（隣接セルリストとして通知されていない端末装置２自身が検出したセル）である。
【０１３５】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＮＲ）とは異なる無線技術（例えばＥＵＴＲＡ、ＵＴＲＡ、ＧＥＲＡＮ，ＣＤＭＡ２０００など）での測定である。
【０１３６】
測定設定（Ｍｅａｓｕｒｅｍｅｎｔ  ｃｏｎｆｉｇｕｒａｔｉｏｎ）メッセージには、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれる。
【０１３７】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＮＲまたはＥＵＴＲＡの場合、第３層フィルタ係数（Ｌ３  ｆｉｌｔｅｒｉｎｇ  ｃｏｅｆｆｉｃｉｅｎｔ）を指定してもよい。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、端末装置２でイベント評価に利用される。
【０１３８】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａ
ｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔｉｏｎ）を制御するために利用される。測定ギャップ設定（ｍｅａｓＧａｐＣｏｎｆｉｇ）では、測定ギャップを活性化させる場合の情報として、ギャップパターン（ｇａｐ  ｐａｔｔｅｒｎ）、開始システムフレ−ム番号（ｓｔａｒｔＳＦＮ）、開始サブフレ−ム番号（ｓｔａｒｔＳｕｂｆｒａｍｅＮｕｍｂｅｒ）が通知される。ギャップパターン（ｇａｐ  ｐａｔｔｅｒｎ）は、測定ギャップ（ｍｅａｓｕｒｅｍｅｎｔ  ｇａｐ）として、どのパターンを使うかを規定する。開始システムフレ−ム番号（ｓｔａｒｔＳＦＮ）は、測定ギャップ（ｍｅａｓｕｒｅｍｅｎｔ  ｇａｐ）を開始するＳＦＮ（Ｓｙｓｔｅｍ  Ｆｒａｍｅ  Ｎｕｍｂｅｒ）を規定する。開始サブフレ−ム番号（ｓｔａｒｔＳｕｂｆｒａｍｅＮｕｍｂｅｒ）は、測定ギャップ（ｍｅａｓｕｒｅｍｅｎｔ  ｇａｐ）を開始するサブフレ−ム番号を規定する。また、測定ギャップ設定はセル毎あるいはセルグループ毎に独立して設定されてもよい。
【０１３９】
＜サービングセル品質閾値（ｓ−Ｍｅａｓｕｒｅ）＞
サービングセル品質閾値（ｓ−Ｍｅａｓｕｒｅ）は、サービングセルの品質に関する閾値を表し、端末装置２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）または同期信号受信電力（ＳＳＲＰ）に対する値として設定される。
【０１４０】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定（Ｍｅａｓｕｒｅｍｅｎｔ  ｃｏｎｆｉｇｕｒａｔｉｏｎ）メッセージは、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【０１４１】
ｍｅａｓＯｂｊｅｃｔＴｏＲｅｍｏｖｅＬｉｓｔは、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除するコマンドである。この際、指定された測定対象識別子（ｍｅａｓＯｂｊｅｃｔＩｄ）に対応付けられたすべての測定識別子（ｍｅａｓＩｄ）は、削除される。このコマンドは、同時に複数の測定対象識別子（ｍｅａｓＯｂｊｅｃｔＩｄ）の指定が可能である。
【０１４２】
ｍｅａｓＯｂｊｅｃｔＴｏＡｄｄＭｏｄｉｆｙＬｉｓｔは、指定された測定対象識別子（ｍｅａｓＯｂｊｅｃｔＩｄ）を指定された測定対象（Ｍｅａｓｕｒｅｍｅｎｔ  ｏｂｊｅｃｔｓ）に修正、または、指定された測定対象識別子（ｍｅａｓＯｂｊｅｃｔＩｄ）と指定された測定対象（Ｍｅａｓｕｒｅｍｅｎｔ  ｏｂｊｅｃｔｓ）を追加するコマンドである。このコマンドは、同時に複数の測定対象識別子（ｍｅａｓＯｂｊｅｃｔＩｄ）の指定が可能である。
【０１４３】
ｒｅｐｏｒｔＣｏｎｆｉｇＴｏＲｅｍｏｖｅＬｉｓｔは、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除するコマンドである。この際、指定された報告設定識別子（ｒｅｐｏｒｔＣｏｎ
ｆｉｇＩｄ）に対応付けられたすべての測定識別子（ｍｅａｓＩｄ）は、削除される。このコマンドは、同時に複数の報告設定識別子（ｒｅｐｏｒｔＣｏｎｆｉｇＩｄ）の指定が可能である。
【０１４４】
ｒｅｐｏｒｔＣｏｎｆｉｇＴｏＡｄｄＭｏｄｉｆｙＬｉｓｔは、指定された報告設定識別子（ｒｅｐｏｒｔＣｏｎｆｉｇＩｄ）を指定された報告設定（Ｒｅｐｏｒｔｉｎｇ  ｃｏｎｆｉｇｕｒａｔｉｏｎｓ）に修正、または、指定された報告設定識別子（ｒｅｐｏｒｔＣｏｎｆｉｇＩｄ）と指定された報告設定（Ｒｅｐｏｒｔｉｎｇ  ｃｏｎｆｉｇｕｒａｔｉｏｎｓ）を追加するコマンドである。このコマンドは、同時に複数の報告設定識別子（ｒｅｐｏｒｔＣｏｎｆｉｇＩｄ）の指定が可能である。
【０１４５】
ｍｅａｓＩｄＴｏＲｅｍｏｖｅＬｉｓｔは、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【０１４６】
ｍｅａｓＩｄＴｏＡｄｄＭｏｄｉｆｙＬｉｓｔは、指定された測定識別子（ｍｅａｓＩｄ）を指定された測定対象識別子（ｍｅａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【０１４７】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに規定されている。また、報告設定（Ｒｅｐｏｒｔｉｎｇ  ｃｏｎｆｉｇｕｒａｔｉｏｎｓ）は、ＮＲに対する規定と、ＮＲ以外のＲＡＴに対する規定がある。
【０１４８】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＮＲ（ｍｅａｓＯｂｊｅｃｔＮＲ）、測定対象ＥＵＴＲＡ（ｍｅａｓＯｂｊｅｃｔＥＵＴＲＡ）、測定対象ＵＴＲＡ（ｍｅａｓＯｂｊｅｃｔＵＴＲＡ）、測定対象ＧＥＲＡＮ（ｍｅａｓＯｂｊｅｃｔＧＥＲＡＮ）、測定対象ＣＤＭＡ２０００（ｍｅａｓＯｂｊｅｃｔＣＤＭＡ２０００）、測定対象ＷＬＡＮ（ｍｅａｓＯｂｊｅｃｔＷＬＡＮ）などが含まれる。
【０１４９】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごとに規定されている。測定対象（Ｍｅａｓｕｒｅｍｅｎｔ  ｏｂｊｅｃｔｓ）は、ＮＲ、ＥＵＴＲＡ、ＵＴＲＡ、ＧＥＲＡＮ、ＣＤＭＡ２０００に対して別途仕様化されている。ＮＲに対する測定対象（Ｍｅａｓｕｒｅｍｅｎｔ  ｏｂｊｅｃｔｓ）である測定対象ＮＲ（ｍｅａｓＯｂｊｅｃｔＮＲ）は、ＮＲの隣接セルに対して適用される情報を規定する。また、測定対象ＮＲ（ｍｅａｓＯｂｊｅｃｔＮＲ）のなかで異なる周波数のものは異なる測定対象（Ｍｅａｓｕｒｅｍｅｎｔ  ｏｂｊｅｃｔｓ）として扱われ、別途測定対象識別子（ｍｅａｓＯｂｊｅｃｔＩｄ）が割り当てられる。
【０１５０】
測定対象ＮＲ（ｍｅａｓＯｂｊｅｃｔＮＲ）には、ＮＲ搬送波周波数情報（ｎｒ−ＣａｒｒｉｅｒＩｎｆｏ）、測定帯域幅（ｍｅａｓｕｒｅｍｅｎｔＢａｎｄｗｉｄｔｈ）、オ
フセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ  ｌｉｓｔ）に関する情報の一部あるいは全部が含まれてよい。
【０１５１】
次に、測定対象ＮＲ（ｍｅａｓＯｂｊｅｃｔＮＲ）に含まれる情報ついて説明する。ＮＲ搬送波周波数情報（ｎｒ−ＣａｒｒｉｅｒＩｎｆｏ）は、測定対象とする搬送波周波数を指定する。測定帯域幅（ｍｅａｓｕｒｅｍｅｎｔＢａｎｄｗｉｄｔｈ）は、測定対象とする搬送波周波数で動作する全ての隣接セル共通な測定帯域幅を示す。オフセット周波数（ｏｆｆｓｅｔＦｒｅｑ）は、測定対象とする周波数において適用される測定オフセット値を示す。
【０１５２】
隣接セルリスト（ｎｅｉｇｈｂｏｕｒ  ｃｅｌｌ  ｌｉｓｔ）に関する情報は、イベント評価や、測定報告の対象となる隣接セルに関する情報を含む。隣接セルリスト（ｎｅｉｇｈｂｏｕｒ  ｃｅｌｌ  ｌｉｓｔ）に関する情報としては、物理セル識別子（ｐｈｙｓｉｃａｌ  ｃｅｌｌ  ＩＤ）や、セル固有オフセット（ｃｅｌｌＩｎｄｉｖｉｄｕａｌＯｆｆｓｅｔ、隣接セルに対して適用する測定オフセット値を示す）などが含まれている。この情報は、ＮＲの場合、端末装置２が、既に、報知情報（報知されるシステム情報）から既に取得している隣接セルリスト（ｎｅｉｇｈｂｏｕｒ  ｃｅｌｌ  ｌｉｓｔ）に対して、追加・修正または削除を行うための情報として利用されてよい。
【０１５３】
また、ブラックリスト（ｂｌａｃｋ  ｌｉｓｔ）に関する情報は、イベント評価や、測定報告の対象とならない隣接セルに関する情報を含む。ブラックリスト（ｂｌａｃｋ  ｌｉｓｔ）に関する情報としては、物理セル識別子（ｐｈｙｓｉｃａｌ  ｃｅｌｌ  ＩＤ）などが含まれる。この情報は、ＮＲの場合、端末装置２が、既に、報知情報から取得しているブラックセルリスト（ｂｌａｃｋ  ｌｉｓｔｅｄ  ｃｅｌｌ  ｌｉｓｔ）に対して、追加・修正または削除を行うための情報として利用されてよい。
【０１５４】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別子（ｒｅｐｏｒｔＣｏｎｆｉｇＩｄ）と対応付けられた報告設定ＮＲ（ｒｅｐｏｒｔＣｏｎｆｉｇＮＲ）などが含まれる。
【０１５５】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＮＲに対する規定と、ＮＲ以外のＲＡＴ（ＥＵＴＲＡ、ＵＴＲＡ、ＧＥＲＡＮ、ＣＤＭＡ２０００）に対する規定がある。ＮＲに対する報告設定（Ｒｅｐｏｒｔｉｎｇ  ｃｏｎｆｉｇｕｒａｔｉｏｎｓ）である報告設定ＮＲ（ｒｅｐｏｒｔＣｏｎｆｉｇＮＲ）は、ＮＲにおける測定の報告に利用するイベントのトリガ条件（ｔｒｉｇｇｅｒｉｎｇ  ｃｒｉｔｅｒｉａ）を規定する。
【０１５６】
また、報告設定ＮＲ（ｒｅｐｏｒｔＣｏｎｆｉｇＮＲ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）の一部あるいは全部が含まれてよい。
【０１５７】
次に、報告設定ＮＲ（ｒｅｐｏｒｔＣｏｎｆｉｇＮＲ）について説明する。イベント識別子（ｅｖｅｎｔＩｄ）は、イベントトリガ報告（ｅｖｅｎｔ  ｔｒｉｇｇｅｒｅｄ  ｒ
ｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ  ｒｅｐｏｒｔｉｎｇ）もある。
【０１５８】
イベントトリガ条件としては、後述の６種類が少なくとも規定されてよい。イベント識別子（ｅｖｅｎｔＩｄ）によって指定されたイベントトリガ条件を満たした場合、端末装置２は、基地局装置３に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、同期信号受信電力（ＳＳＲＰ）、または、同期信号受信品質（ＳＳＲＱ）が指定される。すなわち、端末装置２は、このトリガ量（ｔｒｉｇｇｅｒＱｕａｎｔｉｔｙ）によって指定された量を利用して、下りリンクの同期信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、同期信号受信電力（ＳＳＲＰ）または同期信号受信品質（ＳＳＲＱ）が指定される。ここで、同期信号受信品質（ＳＳＲＱ）は、（Ｎ＊ＳＳＲＰ）／（ＮＲ  Ｃａｒｒｉｅｒ  ＲＳＳＩ）で表される比である。受信信号強度（ＮＲ  Ｃａｒｒｉｅｒ  ＲＳＳＩ）は、全受信信号電力の強さを示し、測定帯域幅はシステム帯域幅と同じである。Ｎは受信信号強度（ＮＲ  Ｃａｒｒｉｅｒ  ＲＳＳＩ）の測定帯域幅に関するリソースブロック（ＲＢ：Ｒｅｓｏｕｒｃｅ  Ｂｌｏｃｋ）数である。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を規定する。
【０１５９】
尚、後述のイベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ5＿Ｔｈｒｅｓｈｏｌｄ１、ａ５＿Ｔｈｒｅｓｈｏｌｄ２、ａ６＿Ｏ
ｆｆｓｅｔ）は、報告設定ＮＲ（ｒｅｐｏｒｔＣｏｎｆｉｇＮＲ）において、イベント識別子（ｅｖｅｎｔＩｄ）と一緒に、端末装置２へ通知される。
【０１６０】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、基地局装置３から指定されたイベントに対する加入条件を満たした端末装置２は、基地局装置３に対して測定報告（ｍｅａｓｕｒｅｍｅｎｔ  ｒｅｐｏｒｔ）を送信する。また、基地局装置３から指定されたイベントに対する離脱条件を満たした端末装置２は、基地局装置３から離脱条件を満たす場合に報告をトリガするように設定されていた場合（報告設定にｒｅｐｏｒｔＯｎＬｅａｖｅが含まれる場合）に、基地局装置３に対して測定報告（ｍｅａｓｕｒｅｍｅｎｔ  ｒｅｐｏｒｔ）を送信する。以下が、各イベントに対する加入条件と離脱条件である。
【０１６１】
＜イベント（Ｅｖｅｎｔ）Ａ１＞
イベント（Ｅｖｅｎｔ）Ａ１加入条件：Ｍｓ−Ｈｙｓ＞ａ１＿Ｔｈｒｅｓｈｏｌｄ
イベント（Ｅｖｅｎｔ）Ａ１離脱条件：Ｍｓ＋Ｈｙｓ＜ａ１＿Ｔｈｒｅｓｈｏｌｄ
＜イベント（Ｅｖｅｎｔ）Ａ２＞
イベント（Ｅｖｅｎｔ）Ａ２加入条件：Ｍｓ−Ｈｙｓ＜ａ２＿Ｔｈｒｅｓｈｏｌｄ
イベント（Ｅｖｅｎｔ）Ａ２離脱条件：Ｍｓ＋Ｈｙｓ＞ａ２＿Ｔｈｒｅｓｈｏｌｄ
＜イベント（Ｅｖｅｎｔ）Ａ３＞
イベント（Ｅｖｅｎｔ）Ａ３加入条件：Ｍｎ＋Ｏｆｎ＋Ｏｃｎ−Ｈｙｓ＞Ｍｓ＋Ｏｆｓ＋Ｏｃｓ＋ａ３＿Ｏｆｆｓｅｔ
イベント（Ｅｖｅｎｔ）Ａ３離脱条件：Ｍｎ＋Ｏｆｎ＋Ｏｃｎ＋Ｈｙｓ＜Ｍｓ＋Ｏｆｓ＋Ｏｃｓ＋ａ３＿Ｏｆｆｓｅｔ
＜イベント（Ｅｖｅｎｔ）Ａ４＞
イベント（Ｅｖｅｎｔ）Ａ４加入条件：Ｍｎ＋Ｏｆｎ＋Ｏｃｎ−Ｈｙｓ＞ａ４＿Ｔｈｒｅｓｈｏｌｄ
イベント（Ｅｖｅｎｔ）Ａ４離脱条件：Ｍｎ＋Ｏｆｎ＋Ｏｃｎ＋Ｈｙｓ＜ａ４＿Ｔｈｒｅｓｈｏｌｄ
＜イベント（Ｅｖｅｎｔ）Ａ５＞
イベント（Ｅｖｅｎｔ）Ａ５加入条件：Ｍｓ−Ｈｙｓ＜ａ５＿Ｔｈｒｅｓｈｏｌｄ１，Ｍｎ＋Ｏｆｎ＋Ｏｃｎ-Ｈｙｓ＞ａ５＿Ｔｈｒｅｓｈｏｌｄ２
イベント（Ｅｖｅｎｔ）Ａ５離脱条件：Ｍｓ＋Ｈｙｓ＞ａ５＿Ｔｈｒｅｓｈｏｌｄ１，Ｍｎ＋Ｏｆｎ＋Ｏｃｎ＋Ｈｙｓ＜ａ５＿Ｔｈｒｅｓｈｏｌｄ２
＜イベント（Ｅｖｅｎｔ）Ａ６＞
イベント（Ｅｖｅｎｔ）Ａ６加入条件：Ｍｎ＋Ｏｃｎ−Ｈｙｓ＞Ｍｓ＋Ｏｃｓ＋ａ６＿Ｏｆｆｓｅｔ
イベント（Ｅｖｅｎｔ）Ａ６離脱条件：Ｍｎ＋Ｏｃｎ＋Ｈｙｓ＜Ｍｓ＋Ｏｃｓ＋ａ６＿Ｏｆｆｓｅｔ
【０１６２】
ここで、Ｍｓとは、サービングセルに対する測定結果である（セル特有の測定オフセット値を考慮しない）。Ｍｎとは、隣接セル（ｎｅｉｇｈｂｏｕｒ  ｃｅｌｌ）に対する測定結果である。Ｈｙｓとは、対象とするイベントに対するヒステリシスパラメータである。
【０１６３】
Ｏｆｎとは、隣接セルの周波数に対する周波数特有の測定オフセット値である。Ｏｆｎは、測定対象ＮＲ（ｍｅａｓＯｂｊｅｃｔＮＲ）のオフセット周波数（ｏｆｆｓｅｔＦｒｅｑ）に相当する。周波数内測定（ｉｎｔｒａ−ｆｒｅｑｕｅｎｃｙ  ｍｅａｓｕｒｅｍｅｎｔｓ）の場合、Ｏｆｎは、Ｏｆｓと同じである。周波数間測定（ｉｎｔｅｒ−ｆｒｅｑｕｅｎｃｙ  ｍｅａｓｕｒｅｍｅｎｔｓ）の場合、Ｏｆｎは、サービングセルとは異なる下りリンク周波数に対応する測定対象ＮＲ（ｍｅａｓＯｂｊｅｃｔＮＲ）に含まれるオフセット周波数（ｏｆｆｓｅｔＦｒｅｑ）である。
【０１６４】
Ｏｃｎとは、隣接セルに対するセル特有の測定オフセット値である。Ｏｃｎは、測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に相当する。Ｏｃｎが設定されていない場合は、測定オフセット値を０とする。周波数内測定（ｉｎｔｒａ−ｆｒｅｑｕｅｎｃｙ  ｍｅａｓｕｒｅｍｅｎｔｓ）の場合、Ｏｃｎは、サービングセルと同じ下りリンク周波数の測定対象ＮＲ（ｍｅａｓＯｂｊｅｃｔＮＲ）に含まれるセル固有オフセット（ｃｅｌｌＩｎｄｉｖｉｄｕａｌＯｆｆｓｅｔ）である。周波数間測定（ｉｎｔｅｒ−ｆｒｅｑｕｅｎｃｙ  ｍｅａｓｕｒｅｍｅｎｔｓ）の場合、Ｏｃｎは、サービングセルとは異なる下りリンク周波数に対応する測定対象ＥＵＴＲＡ（ｍｅａｓＯｂｊｅｃｔＥＵＴＲＡ）に含まれるセル固有オフセット（
ｃｅｌｌＩｎｄｉｖｉｄｕａｌＯｆｆｓｅｔ）である。
【０１６５】
Ｏｆｓとは、サービングセルの周波数に対する周波数特有のオフセット値である。Ｏｆｓは、測定対象ＮＲ（ｍｅａｓＯｂｊｅｃｔＮＲ）のオフセット周波数（ｏｆｆｓｅｔＦｒｅｑ）に相当する。
【０１６６】
Ｏｃｓとは、サービングセルに対するセル特有の測定オフセット値である。Ｏｃｓは、サービングセルの周波数の測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に含まれる。
【０１６７】
ａ１＿Ｔｈｒｅｓｈｏｌｄとは、イベントＡ１に対して利用される閾値パラメータである。ａ２＿Ｔｈｒｅｓｈｏｌｄとは、イベントＡ２に対して利用される閾値パラメータである。ａ３＿Ｏｆｆｓｅｔとは、イベントＡ３に対して利用されるオフセットパラメータである。ａ４＿Ｔｈｒｅｓｈｏｌｄとは、イベントＡ４に対して利用される閾値パラメータである。ａ５＿Ｔｈｒｅｓｈｏｌｄ１とａ５＿Ｔｈｒｅｓｈｏｌｄ２とは、イベントＡ５に対して利用される閾値パラメータである。ａ６＿Ｏｆｆｓｅｔとは、イベントＡ６に対して利用されるオフセットパラメータである。
【０１６８】
端末装置２はサービングセルの測定結果Ｍｓ及び隣接セルの測定結果Ｍｎにより各イベントを発生する。サービングセルの測定結果Ｍｓが、各パラメータの適用後、閾値ａ１＿Ｔｈｒｅｓｈｏｌｄよりよい場合、イベントＡ１が発生し、閾値ａ２＿Ｔｈｒｅｓｈｏｌｄより悪い場合、イベントＡ２が発生する。隣接セルの測定結果Ｍｎが、各パラメータの適用後、サービングセル測定結果Ｍｓ及びオフセットａ３＿Ｏｆｆｓｅｔより良い場合、イベントＡ３が発生し、隣接セルの測定結果Ｍｎが、各パラメータの適用後、閾値ａ４＿Ｔｈｒｅｓｈｏｌｄより良い場合、イベントＡ４が発生する。サービングセルの測定結果Ｍｓが、各パラメータの適用後、閾値ａ５＿Ｔｈｒｅｓｈｏｌｄ１より悪い且つ隣接セルの測定結果Ｍｎが、各パラメータの適用後、閾値ａ５＿Ｔｈｒｅｓｈｏｌｄ２より良い場合、イベントＡ５が発生する。
【０１６９】
また、ＮＲ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＮＲ以外のＲＡＴにおける測定の報告に利用するイベントのトリガ条件（ｔｒｉｇｇｅｒｉｎｇ  ｃｒｉｔｅｒｉａ）が定義されてよい。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生されてよい。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生されてよい。
【０１７０】
尚、基地局装置３は、サービングセル品質閾値（ｓ−Ｍｅａｓｕｒｅ）を通知する場合と通知しない場合がある。基地局装置３がサービングセル品質閾値（ｓ−Ｍｅａｓｕｒｅ）を通知する場合、端末装置２は、サービングセル（ｓｅｒｖｉｎｇ  ｃｅｌｌ）の品質（ＲＳＲＰ値あるいはＳＳＲＰ値）がサービングセル品質閾値（ｓ−Ｍｅａｓｕｒｅ）よりも低いときに、隣接セルの測定と、イベント評価（イベントトリガ条件を満たすか否か、報告条件（Ｒｅｐｏｒｔｉｎｇ  ｃｒｉｔｅｒｉａ）の評価とも言う）を行う。一方、基地局装置３がサービングセル品質閾値（ｓ−Ｍｅａｓｕｒｅ）を通知しない場合、端末装置２は、サービングセルの品質（ＲＳＲＰ値あるいはＳＳＲＰ値）によらず、隣接セルの測定と、イベント評価を行う。
【０１７１】
＜Ｍｅａｓｕｒｅｍｅｎｔ  Ｒｅｓｕｌｔについて＞
イベントトリガ条件を満たした端末装置２は、基地局装置３に対して、測定報告（Ｍｅａｓｕｒｅｍｅｎｔ  ｒｅｐｏｒｔ）を送信する。測定報告（Ｍｅａｓｕｒｅｍｅｎｔ  ｒｅｐｏｒｔ）には、測定結果（Ｍｅａｓｕｒｅｍｅｎｔ  ｒｅｓｕｌｔ）が含まれる。
【０１７２】
この測定結果（Ｍｅａｓｕｒｅｍｅｎｔ  ｒｅｓｕｌｔ）は、測定識別子（ｍｅａｓＩｄ）、サービングセル測定結果（ｍｅａｓＲｅｓｕｌｔＳｅｒｖｉｎｇ）、ＮＲ測定結果リスト（ｍｅａｓＲｅｓｕｌｔＬｉｓｔＮＲ）で構成される。ここで、ＮＲ測定結果リスト（ｍｅａｓＲｅｓｕｌｔＬｉｓｔＮＲ）には、物理セル識別子（ｐｈｙｓｉｃａｌＣｅｌｌＩｄｅｎｔｉｔｙ）、ＮＲセル測定結果（ｍｅａｓＲｅｓｕｌｔＮＲ）が含まれてよい。
【０１７３】
ここで、測定識別子（ｍｅａｓＩｄ）とは、前述のように、測定対象識別子（ｍｅａｓＯｂｊｅｃｔＩｄ）と報告設定識別子（ｒｅｐｏｒｔＣｏｎｆｉｇＩｄ）とのリンクに利用されていた識別子である。また、サービングセル測定結果（ｍｅａｓＲｅｓｕｌｔＳｅｒｖｉｎｇ）は、サービングセルに対する測定結果であり、サービングセルに対する同期信号受信電力（ＳＳＲＰ）および同期信号受信品質（ＳＳＲＱ）の両方の結果を報告してもよい。また、物理セル識別子（ｐｈｙｓｉｃａｌＣｅｌｌＩｄｅｎｔｉｔｙ）は、セルを識別するために利用する。ＮＲセル測定結果（ｍｅａｓＲｅｓｕｌｔＮＲ）は、ＮＲセルに対する測定結果である。隣接セルの測定結果は関連するイベントの発生時にのみ含まれる。
【０１７４】
次に、第１の基地局装置３のセル（第１のセル）をマスターセルグループのプライマリセルとして、接続状態または不活動状態の端末装置２が通信している状態において、第２の基地局装置３のセル（第２のセル）をセカンダリセルグループのセル（例えばプライマリセカンダリセル（ＰＳＣｅｌｌ））として追加する動作の一例について説明する。第１の基地局装置３のことをＭｅＮＢ（Ｍａｓｔｅｒ  ｅＮＢ）またはＭＮ（Ｍａｓｔｅｒ  Ｎｏｄｅ）とも称する。また、第２の基地局装置３のことをＳｅＮＢ（Ｓｅｃｏｎｄａｒｙ  ｅＮＢ）またはＳＮ（Ｓｅｃｏｎｄａｒｙ  Ｎｏｄｅ）とも称する。
【０１７５】
第１のセルを含むＭＣＧのセルがＬＴＥのセルであり、第２のセルを含むＳＣＧのセルがＬＴＥのセルである場合について説明する。
【０１７６】
第１の基地局装置３は、ＭＣＧのＳＲＢ（ＭＣＧ  ＳＲＢ）を介して、プライマリセカンダリセルの候補となるセルの周波数を含む測定対象ＥＵＴＲＡと報告設定ＥＵＴＲＡとを端末装置２に設定する（ステップＳ７１）。端末装置２は、設定された測定対象ＥＵＴＲＡと報告設定ＥＵＴＲＡに基づき測定を開始し（ステップＳ７２）、報告設定ＥＵＴＲＡのトリガ条件に基づき、測定報告をＭＣＧ  ＳＲＢを介して基地局装置３に報告する（ステップＳ７３）。基地局装置３は測定報告に基づき、プライマリセカンダリセルを選択する（ステップＳ７４）。また、基地局装置３は必要であれば、追加の測定設定を端末装置２に設定し、対象となるセルを識別するためのセルグローバル識別子（ＣＧＩ：Ｃｅｌｌ  Ｇｒｏｂａｌ  Ｉｄｅｎｔｉｔｙ）を端末装置２に報告させてもよい。なお、基地局装置３は、上記以外の手段により、プライマリセカンダリセルを選択してもよい。
【０１７７】
第１の基地局装置３は、選択したセルの基地局装置３（第２の基地局装置３）に、無線リソースの割り当てを要求するＳｅＮＢ追加要求（ＳｅＮＢ  Ａｄｄｉｔｉｏｎ  Ｒｅｑｕｅｓｔ）メッセージを送信する（ステップＳ７５）。ＳｅＮＢ追加要求には、ＳｅＮＢによる再設定のために使われるＵＥ能力（ＵＥ  Ｃａｐａｂｉｌｉｔｙ）やＭＣＧの無線リソース設定（ｒａｄｉｏＲｅｓｏｕｒｃｅＣｏｎｆｉｇＤｅｄＭＣＧ）やＭＣＧのＳＣｅｌｌ情報や追加要求されるＳＣＧのセル（ＰＳＣｅｌｌおよび／またはＳＣｅｌｌ）情報が、ＳＣＧ−ＣｏｎｆｉｇＩｎｆｏとして含まれてよい。また、ＭｅＮＢは追加要求対
象のセルの最新の測定結果を提供してもよい。また、ＳＣＧ−ＣｏｎｆｉｇＩｎｆｏに含まれるＭＣＧのＳＣｅｌｌ情報やＳＣＧのセル情報には、各セルを識別するためのインデックス（ＳＣｅｌｌＩｎｄｅｘ）情報が含まれてよい。また、ＳＣＧ−ＣｏｎｆｉｇＩｎｆｏに含まれるＭＣＧのＳＣｅｌｌ情報やＳＣＧのセル情報には、セルの物理セル識別子情報（ｐｈｙｓＣｅｌｌＩｄ）やセルの下りリンク周波数情報（ｄｌ−ＣａｒｒｉｅｒＦｒｅｑ）が含まれてもよい。また、ＳＣｅｌｌＩｎｄｅｘにＰＣｅｌｌのインデックス（インデックス０）を加えた全サービングセルを識別するためのインデックス（ＳｅｒｖＣｅｌｌＩｎｄｅｘ）が定義されてもよい。
【０１７８】
ＳｅＮＢ追加要求を受信した基地局装置３は、そのリソース要求が容認できる場合、端末装置２に対して割り当てる無線リソース設定をＳＣＧ−Ｃｏｎｆｉｇとして設定し、ＳＣＧ−Ｃｏｎｆｉｇを含むＳｅＮＢ追加要求肯定（ＳｅＮＢ  Ａｄｄｉｔｉｏｎ  Ｒｅｑｕｅｓｔ  Ａｃｋｎｏｗｌｅｄｇｅ）メッセージを第１の基地局装置３に送信する（ステップＳ７６）。
【０１７９】
ＳｅＮＢ追加要求肯定メッセージを受信した第１の基地局装置３は、受信した無線リソース設定を是認（ｅｎｄｏｒｓｅ）する場合、ＳＣＧ−Ｃｏｎｆｉｇに関するＳＣＧの無線リソース設定を含むＲＲＣ接続再設定メッセージをＭＣＧ  ＳＲＢを介して端末装置２に送る（ステップＳ７７）。ＲＲＣ接続再設定メッセージを受信した端末装置２は、新しい設定を適用し、適用に成功した場合、ＲＲＣ接続再設定完了（ＲＲＣＣｏｎｎｅｃｔｉｏｎＲｅｃｏｎｆｉｇｕｒａｔｉｏｎＣｏｍｐｌｅｔｅ）メッセージをＭＣＧ  ＳＲＢを介して第１の基地局装置３に送る（ステップＳ７８）。
【０１８０】
ＲＲＣ接続再設定完了メッセージを受信した第１の基地局装置３は、第２の基地局装置３に端末装置２の再設定が成功して完了したことを通知してもよい。
【０１８１】
ＲＲＣ接続再設定完了メッセージを送信した端末装置２は、第２の基地局装置３のＰＳＣｅｌｌとの同期（ｓｙｎｃｈｒｏｎｉｓａｔｉｏｎ）を実行し、ＰＳＣｅｌｌでの通信を開始する（ステップＳ７９）。なお、端末装置２は、ＲＲＣ接続再設定完了メッセージを送信する前に第２の基地局装置３のＰＳＣｅｌｌとの同期を実行してもよい。
【０１８２】
以上、ＭｅＮＢによるＰＳＣｅｌｌ（ＳｅＮＢ）の追加について説明したが、ＰＣｅｌｌによるＰＳＣｅｌｌ（ＳｅＮＢ）の修正についても、端末装置２から受信した測定報告に基づき、ＭｅＮＢがＳＣＧ−ＣｏｎｆｉｇＩｎｆｏを含むＳｅＮＢ修正要求（ＳｅＮＢ
Ｍｏｄｉｆｉｃａｔｉｏｎ  Ｒｅｑｕｅｓｔ）メッセージをＳｅＮＢに送信することで実現できる。また、ＰＣｅｌｌによるＰＳＣｅｌｌ（ＳｅＮＢ）の解放についても、端末装置２から受信した測定報告に基づき、ＭｅＮＢがＳｅＮＢ解放要求（ＳｅＮＢ  Ｒｅｌｅａｓｅ  Ｒｅｑｕｅｓｔ）メッセージをＳｅＮＢに送信することで実現できる。また、ＰＣｅｌｌによるＰＳＣｅｌｌ（ＳｅＮＢ）の変更についても、端末装置２から受信した測定報告に基づき、ＭｅＮＢがＳｅＮＢ追加要求メッセージを変更先のＳｅＮＢに送信し、ＳｅＮＢ解放要求メッセージを変更元のＳｅＮＢに送信することで実現できる。
【０１８３】
第１のセルを含むＭＣＧのセルがＮＲのセルであり、第２のセルを含むＳＣＧのセルがＮＲのセルである場合について説明する。この場合、ＭＣＧおよびＳＣＧは、ＮＲのＲＲＣメッセージで設定されるかもしれない。ＭＣＧに関するパラメータおよびＳＣＧに関するパラメータは、ＭＣＧ  ＳＲＢを使って、ＮＲのＲＲＣメッセージで設定されるかもしれない。ＭＣＧに関するパラメータは、直接ＭＣＧ  ＳＲＢを使って送信されるかもしれない。ＳＣＧに関するパラメータは、直接ＳＣＧのＳＲＢ（ＳＣＧ  ＳＲＢ）を使って送信されるかもしれない。その場合、端末装置２は、ＳＣＧ  ＳＲＢを使って、ＳＣＧに関する報告設定を受信し、ＭＣＧ  ＳＲＢを使ってＭＣＧに関する報告設定を受信するかも
しれない。
【０１８４】
この場合は、ＭＣＧのセルがＬＴＥのセルでありＳＣＧのセルがＬＴＥのセルである場合の処理において、測定対象ＥＵＴＲＡと報告設定ＥＵＴＲＡをそれぞれ測定対象ＮＲと報告設定ＮＲに置き換えることにより、同様の処理でＰＳＣｅｌｌを追加することができるため、詳細な説明を省略する。
【０１８５】
ある設定の場合について説明する。この場合、第１のセルを含むＭＣＧのセルがＬＴＥ（Ｅ−ＵＴＲＡＮ）のセルであり、第２のセルを含むＳＣＧのセルがＮＲのセルであるかもしれない。ＭＣＧに関するパラメータがＥＵＴＲＡＮのＲＲＣメッセージで設定され、ＳＣＧに関するパラメータは、ＥＵＴＲＡＮのＲＲＣメッセージの中に含まれるＮＲのＲＲＣメッセージによって設定されるかもしれない。ＥＵＴＲＡＮのＲＲＣメッセージの中に含まれるＭＣＧに関するパラメータは、直接ＭＣＧ  ＳＲＢを使って送信されるかもしれない。ＮＲのＲＲＣメッセージの中に含まれるＳＣＧに関するパラメータは、直接ＳＣＧ  ＳＲＢを使って送信されるかもしれない。その場合、端末装置２は、ＳＣＧ  ＳＲＢを使って、ＳＣＧに関する報告設定を受信し、ＭＣＧ  ＳＲＢを使ってＭＣＧに関する報告設定を受信する。
【０１８６】
端末装置２は、第１の基地局装置３から、ＭＣＧ  ＳＲＢを介して、ＮＲセルの周波数を含む測定対象ＮＲと報告設定ＩｎｔｅｒＲＡＴとを設定される。前記ＮＲセルの周波数は、プライマリセカンダリセルの候補を選択するために使われるかもしれない。端末装置２は、設定された測定対象ＮＲと報告設定ＩｎｔｅｒＲＡＴに基づき測定を開始し、報告設定ＩｎｔｅｒＲＡＴのトリガ条件に基づき、測定報告をＭＣＧ  ＳＲＢを介して基地局装置３に報告する。基地局装置３は測定報告に基づき、プライマリセカンダリセルを選択する。また、基地局装置３は必要であれば、追加の測定設定を端末装置２に設定し、対象となるセルを識別するためのセルグローバル識別子（ＣＧＩ：Ｃｅｌｌ  Ｇｒｏｂａｌ  Ｉｄｅｎｔｉｔｙ）を端末装置２に報告させてもよい。なお、基地局装置３は、上記以外の手段により、プライマリセカンダリセルを選択してもよい。
【０１８７】
第１の基地局装置３（ＭＮ）は、選択したセルの基地局装置３（第２の基地局装置３、ＳＮ候補）に、無線リソースの割り当てを要求するＳＮ追加要求（ＳＮ  Ａｄｄｉｔｉｏｎ  Ｒｅｑｕｅｓｔ）メッセージを送信する。ＳＮ追加要求には、ＳＮによる再設定のために使われるＵＥ能力（ＵＥ  Ｃａｐａｂｉｌｉｔｙ）やＭＣＧの無線リソース設定（ｒａｄｉｏＲｅｓｏｕｒｃｅＣｏｎｆｉｇＤｅｄＭＣＧ）や現状のＭＣＧのＳＣｅｌｌ設定情報（ｓＣｅｌｌＴｏＡｄｄＭｏｄＬｉｓｔＭＣＧ）や追加要求されるＳＣＧのセル情報（ｓＣｅｌｌＴｏＡｄｄＭｏｄＬｉｓｔＳＣＧ）や解放要求されるＳＣＧのセル情報（ｓＣｅｌｌＴｏＲｅｌｅａｓｅＬｉｓｔＳＣＧ）が、ＳＣＧ−ＣｏｎｆｉｇＩｎｆｏとして含まれてよい。また、ＭＮは追加要求対象のセルの最新の測定結果を提供してもよい。また、ＳＣＧ−ＣｏｎｆｉｇＩｎｆｏに含まれるＭＣＧのＳＣｅｌｌ情報やＳＣＧのセル情報には、各セルを識別するためのインデックス（ＳＣｅｌｌＩｎｄｅｘ）情報が含まれてよい。また、ＳＣＧ−ＣｏｎｆｉｇＩｎｆｏには、ＳＣＧで使うことのできるＳＣｅｌｌＩｎｄｅｘの値あるいは範囲を示す情報が含まれてもよい。これにより、ＳＣｅｌｌＩｎｄｅｘをＭＣＧと重複させることなく、ＳＮがＭＮと独立してＳＣｅｌｌＩｎｄｅｘを設定することができる。また、ＳＣＧで使うことのできるＳＣｅｌｌＩｎｄｅｘの値あるいは範囲を示す情報は別のメッセージによってＭＮからＳＮに通知されてもよい。また、ＳＣＧで使用するＳＣｅｌｌの数に関する情報がＳＮからＭＮに通知されてもよい。また、ＳＣＧ−ＣｏｎｆｉｇＩｎｆｏに含まれるＭＣＧのＳＣｅｌｌ情報やＳＣＧのセル情報には、セルの物理セル識別子情報（ｐｈｙｓＣｅｌｌＩｄ）やセルの下りリンク周波数情報（ｄｌ−ＣａｒｒｉｅｒＦｒｅｑ）が含まれてもよい。また、ＳＣｅｌｌＩｎｄｅｘにＰＣｅｌｌのインデックス（インデックス０）を加えた全サービングセルを識別するための
インデックス（ＳｅｒｖＣｅｌｌＩｎｄｅｘ）が定義されてもよい。
【０１８８】
ＳＮ追加要求を受信した基地局装置３は、そのリソース要求が容認できる場合、端末装置２に対して割り当てる無線リソース設定をＳＣＧ−Ｃｏｎｆｉｇとして設定し、ＳＣＧ−Ｃｏｎｆｉｇを含むＳＮ追加要求肯定（ＳＮ  Ａｄｄｉｔｉｏｎ  Ｒｅｑｕｅｓｔ  Ａｃｋｎｏｗｌｅｄｇｅ）メッセージを第１の基地局装置３に送信する。
【０１８９】
ＳＮ追加要求肯定メッセージを受信した第１の基地局装置３は、受信した無線リソース設定を是認（ｅｎｄｏｒｓｅ）する場合、ＳＣＧ−Ｃｏｎｆｉｇに関するＳＣＧの無線リソース設定を含むＲＲＣ接続再設定メッセージをＭＣＧ  ＳＲＢを介して端末装置２に送る。ＲＲＣ接続再設定メッセージを受信した端末装置２は、新しい設定を適用し、適用に成功した場合、ＲＲＣ接続再設定完了メッセージをＭＣＧ  ＳＲＢを介して第１の基地局装置３に送る。
【０１９０】
ＳＣＧ−Ｃｏｎｆｉｇに関するＳＣＧの無線リソース設定を含むＲＲＣ接続再設定メッセージを受信した端末装置２は、ＳＣＧ  ＳＲＢが設定されている場合、ＳＣＧ−Ｃｏｎｆｉｇに関するＳＣＧの無線リソース設定に対する応答を、ＳＣＧ  ＳＲＢで送ってもよい。より詳細には、ＳＣＧ  ＳＲＢが設定されていて、かつ、ＳＣＧ−Ｃｏｎｆｉｇに関する応答にＳＣＧ  ＳＲＢを使うように設定されている場合に、ＳＣＧ−Ｃｏｎｆｉｇに関するＳＣＧの無線リソース設定に対する応答を、ＳＣＧ  ＳＲＢで送るようにしてもよい。例えば、ＳＣＧ−Ｃｏｎｆｉｇに関するＳＣＧの無線リソース設定を含むＲＲＣ接続再設定メッセージを受信した端末装置２は、ＳＣＧ−Ｃｏｎｆｉｇ以外の新しい設定を適用し、適用に成功した場合、ＲＲＣ接続再設定完了メッセージをＭＣＧ  ＳＲＢを第１の基地局装置３に送る。ＳＣＧ−Ｃｏｎｆｉｇに関するＳＣＧの無線リソース設定を含むＲＲＣ接続再設定メッセージを受信した端末装置２は、ＳＣＧ−Ｃｏｎｆｉｇの新しい設定を適用し、適用に成功した場合、ＳＣＧ  ＲＲＣ接続再設定完了メッセージをＳＣＧ  ＳＲＢを第２の基地局装置３に送る。
【０１９１】
ＲＲＣ接続再設定完了メッセージを受信した第１の基地局装置３は、第２の基地局装置３に端末装置２の再設定が成功して完了したことを通知する。
【０１９２】
ＲＲＣ接続再設定完了メッセージを送信した端末装置２は、第２の基地局装置３のＰＳＣｅｌｌとの同期（ｓｙｎｃｈｒｏｎｉｓａｔｉｏｎ）を実行し、ＰＳＣｅｌｌでの通信を開始する。なお、端末装置２は、ＲＲＣ接続再設定完了メッセージを送信する前に第２の基地局装置３のＰＳＣｅｌｌとの同期を実行してもよい。
【０１９３】
以上、ＭＮによるＰＳＣｅｌｌ（ＳＮ）の追加について説明したが、ＰＣｅｌｌによるＰＳＣｅｌｌ（ＳＮ）の修正についても、ＭＮがＳＣＧ−ＣｏｎｆｉｇＩｎｆｏを含むＳＮ修正要求（ＳＮ  Ｍｏｄｉｆｉｃａｔｉｏｎ  Ｒｅｑｕｅｓｔ）メッセージをＳＮに送信することで実現できる。また、ＰＣｅｌｌによるＰＳＣｅｌｌ（ＳＮ）の解放についても、ＭＮがＳＮ解放要求（ＳＮ  Ｒｅｌｅａｓｅ  Ｒｅｑｕｅｓｔ）メッセージをＳＮに送信することで実現できる。また、ＰＣｅｌｌによるＰＳＣｅｌｌ（ＳＮ）の変更についても、ＭＮがＳＮ追加要求メッセージを変更先のＳＮに送信し、ＳＮ解放要求メッセージを変更元のＳＮに送信することで実現できる。
【０１９４】
ＳＮによるＰＳＣｅｌｌ（ＳＮ）の修正・解放・変更について説明する。
【０１９５】
例えば、ＭＮがＭＣＧ  ＳＲＢを介して、ＳＮがＳＣＧ  ＳＲＢを介して、それぞれ端末装置２に直接測定設定を設定して、端末装置２から測定報告を受信する場合、ＰＳＣｅｌｌの修正・解放・変更が必要であることをＳＮが認識できる場合がある。
【０１９６】
ＰＳＣｅｌｌの修正が必要な場合、ＳＮは、ＳＣＧ−Ｃｏｎｆｉｇを含むＳＮ修正必要（ＳＮ  Ｍｏｄｉｆｉｃａｔｉｏｎ  Ｒｅｑｕｉｒｅｄ）メッセージをＭＮに送信することでＭＮにＳＮ修正に必要な情報を通知してもよい。この情報に基づき、ＭＮは、ＭＮによるＰＳＣｅｌｌの修正を行うことが可能となる。また、端末装置２への設定（ＲＲＣＣｏｎｎｅｃｔｉｏｎＲｅｃｏｎｆｉｇｕｒａｔｉｏｎ）が成功した場合、ＭＮはＳＮ修正確認（ＳＮ  Ｍｏｄｉｆｉｃａｔｉｏｎ  Ｃｏｎｆｉｒｍ）メッセージをＳＮに送信してもよい。
【０１９７】
ＰＳＣｅｌｌの解放が必要な場合、ＳＮは、ＳＮ解放必要（ＳＮ  Ｒｅｌｅａｓｅ  Ｒｅｑｕｉｒｅｄ）メッセージをＭＮに送信することでＭＮにＳＮ解放が必要であることを通知してもよい。この情報に基づき、ＭＮは、ＭＮによるＰＳＣｅｌｌの解放を行うことが可能となる。また、ＭＮはＳＮ解放確認（ＳＮ  Ｒｅｌｅａｓｅ  Ｃｏｎｆｉｒｍ）メッセージをＳＮに送信してもよい。
【０１９８】
ＳＮの変更を伴うＰＳＣｅｌｌの変更が必要な場合、ＳＮは、ＳＣＧ−ＣｏｎｆｉｇＩｎｆｏの一部の情報（例えば、変更先ＳＮのＳＣＧのセル情報（ｓＣｅｌｌＴｏＡｄｄＭｏｄＬｉｓｔＳＣＧ））を含むＳＮ変更必要（ＳＮ  Ｃｈａｎｇｅ  Ｒｅｑｕｉｒｅｄ）メッセージをＭＮに送信することによって、ＭＮにＳＮ変更に必要な情報を通知してもよい。この情報に基づき、ＭＮは、変更先ＳＮに対してＳＮ追加要求メッセージを送信し、追加要求が成功した場合に変更元ＳＮに対してＳＮ解放メッセージを送信することが可能となる。
【０１９９】
次に、第１の基地局装置３（ＭＮ）のセル（第１のセル）をマスターセルグループのプライマリセルとして、第２の基地局装置３（ＳＮ）のセル（第２のセル）をセカンダリセルグループのプライマリセカンダリセルとして、接続状態または不活動状態の端末装置２が通信している状態において、マスターセルグループまたはセカンダリセルグループのＳＣｅｌｌを追加するときの動作の一例について説明する。ただしこの動作は、マスターセルグループまたはセカンダリセルグループのＳＣｅｌｌを追加する目的に限定されない。
【０２００】
ＭＮがＭＣＧにおいてＳＣｅｌｌを追加する場合、ＭＣＧのＳＣｅｌｌに既に割り当てられたＳＣｅｌｌＩｎｄｅｘおよびＳＣＧのＳＣｅｌｌに既に割り当てられたＳＣｅｌｌＩｎｄｅｘと重複しないＳＣｅｌｌＩｎｄｅｘを選択し、追加するセルに割り当てる。追加されたＳＣｅｌｌを含むＭＣＧのＳＣｅｌｌ設定情報は、ＳＣＧ−ＣｏｎｆｉｇＩｎｆｏのｓＣｅｌｌＴｏＡｄｄＭｏｄＬｉｓｔＭＣＧに含められＳＮに通知されてもよい。
【０２０１】
ＳＮがＳＣＧにおいてＳＣｅｌｌを追加する場合であって、先だって受信するＳＮ追加要求メッセージにＳＣＧで使用可能なＳＣｅｌｌＩｎｄｅｘの値のリストあるいは値の範囲が含まれる場合について図８を用いて説明する。まず、ＳＮ追加要求メッセージによって、ＳＣＧで使用可能なＳＣｅｌｌＩｎｄｅｘの値のリストあるいは値の範囲がＳＮに通知され（ステップＳ８０１）、図７のステップＳ７６からステップＳ７９と同じ手順によってＳＮ追加手順を完了する（ステップＳ８０２からステップＳ８０５）。ＳＮは、ＳＣＧのＳＣｅｌｌに既に割り当てられたＳＣｅｌｌＩｎｄｅｘと重複しないＳＣｅｌｌＩｎｄｅｘを値のリストあるいは値の範囲から選択し、追加するセルに割り当てる（ステップＳ８０６）。追加されたＳＣｅｌｌを含むＳＣＧのＳＣｅｌｌ設定情報は、ＳＣＧ−ＣｏｎｆｉｇＩｎｆｏあるいはＳＣＧ−Ｃｏｎｆｉｇのｓｃｇ−ＣｏｎｆｉｇＰａｒｔＳＣＧに含められ、ＭＮに通知されてもよい（ステップＳ８０７）。ＳＮは端末装置２に対してＳＣｅｌｌの設定情報を含むＲＲＣ接続再設定メッセージ（ＳＣＧ  ＲＲＣ接続再設定メッセージなど）を送信し（ステップＳ８０８）、ＳＣｅｌｌを設定した端末装置２は、ＲＲＣ接続再設定完了メッセージ（ＳＣＧ  ＲＲＣ接続再設定完了メッセージなど）をＳＣ
Ｇ  ＳＲＢを介して、ＳＮに送信する（ステップＳ８０９）。これにより、Ｉｎｄｅｘの重複を防ぐことができ、ＳＣｅｌｌ追加時のＭＮとＳＮの間のシグナリングを削減できる。なお、ステップＳ８０８のＲＲＣ接続再設定メッセージ送信はＭＣＧ  ＳＲＢを介して、ＭＮが行い、ステップＳ８０９で端末装置２は、ＲＲＣ接続再設定完了メッセージをＭＣＧ  ＳＲＢを介して、ＭＮに送信してもよい。また、ＳＣＧで使用可能なＳＣｅｌｌＩｎｄｅｘの値のリストあるいは値の範囲は、予め仕様書等で定められてもよい。
【０２０２】
ＳＮがＳＣＧにおいてＳＣｅｌｌを追加する場合であって、先だって受信するＳＮ追加要求メッセージにＳＣＧで使用可能なＳＣｅｌｌＩｎｄｅｘの値のリストあるいは値の範囲が含まれない場合について図９を用いて説明する。ＳＮは、ＭＣＧのＳＣｅｌｌに既に割り当てられたＳＣｅｌｌＩｎｄｅｘおよびＳＣＧのＳＣｅｌｌに既に割り当てられたＳＣｅｌｌＩｎｄｅｘと重複しないＳＣｅｌｌＩｎｄｅｘを選択し、選択したＳＣｅｌｌＩｎｄｅｘ情報をＳＮ修正必要（ＳＮ  Ｍｏｄｉｆｉｃａｔｉｏｎ  Ｒｅｑｕｉｒｅｄ）メッセージに含めてＭＮに送信する（ステップＳ９１）。ＭＮは、ＳＮから受信したＳＣｅｌｌＩｎｄｅｘが他の（ＭＣＧの）ＳＣｅｌｌと重複している場合、他のＳＣｅｌｌＩｎｄｅｘと重複しない新たなＩｎｄｅｘをＳＮ修正確認（ＳＮ  Ｍｏｄｉｆｉｃａｔｉｏｎ
Ｃｏｎｆｉｒｍ）メッセージに含めてＳＮに送信してもよい（ステップＳ９２）。また、ＳＣｅｌｌＩｎｄｅｘが重複していない場合であってもＳＣｅｌｌＩｎｄｅｘを変更せずにＳＮ修正確認メッセージをＳＮに送信してもよい。ＳＮ修正確認メッセージに含まれる情報は、追加されるＳＣｅｌｌの情報を含むＳＣＧ−ＣｏｎｆｉｇＩｎｆｏであってもよい。あるいは、ＳＮはＳＣｅｌｌＩｎｄｅｘを選択せず、ＳＮ修正必要メッセージには追加されるＳＣｅｌｌのＳＣｅｌｌＩｎｄｅｘ以外の情報（例えばセルの物理セル識別子や下りリンクキャリア周波数情報）を通知し、ＭＮが選択したＩｎｄｅｘをＳＣｅｌｌＩｎｄｅｘとしてもよい。ＳＮは端末装置２に対してＳＣｅｌｌの設定情報を含むＲＲＣ接続再設定メッセージ（ＳＣＧ  ＲＲＣ接続再設定メッセージなど）をＳＣＧ  ＳＲＢを介して、送信し（ステップＳ９３）、ＳＣｅｌｌを設定した端末装置２は、ＲＲＣ接続再設定完了メッセージ（ＳＣＧ  ＲＲＣ接続再設定完了メッセージなど）をＳＣＧ  ＳＲＢを介して、ＳＮに送信する（ステップＳ９４）。これにより、Ｉｎｄｅｘの重複を防ぐことができ、ＳＣｅｌｌ追加時のＭＮとＳＮの間のシグナリングを削減できる。なお、ステップＳ９３のＲＲＣ接続再設定メッセージ送信はＭＣＧ  ＳＲＢを介して、ＭＮが行い、ステップＳ９４で端末装置２は、ＲＲＣ接続再設定完了メッセージをＭＣＧ  ＳＲＢを介して、をＭＮに送信してもよい。
【０２０３】
上述のようにＭＮおよび／またはＳＮで追加されたＳＣｅｌｌの設定はＲＲＣ接続再設定メッセージによって端末装置２に通知される。ＲＲＣ接続再設定メッセージは、ＭＣＧのＳＣｅｌｌ追加の場合は、ＭＮから設定されてよい。また、ＲＲＣ接続再設定メッセージは、ＳＣＧのＳＣｅｌｌ追加の場合は、ＭＮまたはＳＮから設定されてよい。
【０２０４】
なお、端末装置２は、ＭＣＧ  ＳＲＢで設定されたＳＣｅｌｌＩｎｄｅｘと同じＩｎｄｅｘをＳＣＧ  ＳＲＢから設定された場合、設定失敗をＳＣＧ失敗情報（ＳＣＧＦａｉｌｕｒｅＩｎｆｏｒｍａｔｉｏｎ）メッセージで、ＭＣＧ  ＳＲＢを用いてＭＮに通知してもよい。また、端末装置２は、ＭＣＧ  ＳＲＢで設定されたＳＣｅｌｌＩｎｄｅｘと同じＩｎｄｅｘをＳＣＧ  ＳＲＢから設定された場合、設定失敗をＳＣＧ  再設定失敗（ＳＣＧ  ＲＲＣＣｏｎｎｅｃｔｉｏｎＲｅｃｏｎｆｉｇｕｒａｔｉｏｎＦａｉｌｕｒｅ）メッセージで、ＳＣＧ  ＳＲＢを用いてＳＮに通知してもよい。
【０２０５】
なお、端末装置２は、ＳＣＧ  ＳＲＢで設定されたＳＣｅｌｌＩｎｄｅｘと同じＩｎｄｅｘをＭＣＧ  ＳＲＢから設定された場合、ＭＣＧ  ＳＲＢで設定された設定で上書きし、設定失敗をＳＣＧ失敗情報（ＳＣＧＦａｉｌｕｒｅＩｎｆｏｒｍａｔｉｏｎ）メッセージで、ＭＣＧ  ＳＲＢを用いてＭＮに通知してもよい。また、端末装置２は、ＳＣＧ  Ｓ
ＲＢで設定されたＳＣｅｌｌＩｎｄｅｘと同じＩｎｄｅｘをＭＣＧ  ＳＲＢから設定された場合、ＭＣＧ  ＳＲＢで設定された設定で上書きし、設定失敗をＳＣＧ  再設定失敗（ＳＣＧ  ＲＲＣＣｏｎｎｅｃｔｉｏｎＲｅｃｏｎｆｉｇｕｒａｔｉｏｎＦａｉｌｕｒｅ）メッセージで、ＳＣＧ  ＳＲＢを用いてＳＮに通知してもよい。
【０２０６】
次に、第１の基地局装置３（ＭＮ）のセル（第１のセル）をマスターセルグループのプライマリセルとして、第２の基地局装置３（ＳＮ）のセル（第２のセル）をセカンダリセルグループのプライマリセカンダリセルとして、接続状態または不活動状態の端末装置２が通信している状態において、マスターセルグループまたはセカンダリセルグループのＳＣｅｌｌを修正するときの動作の一例について説明する。ただしこの動作は、マスターセルグループまたはセカンダリセルグループのＳＣｅｌｌを修正する目的に限定されない。
【０２０７】
ＭＮがＭＣＧにおいてＳＣｅｌｌを修正する場合、修正されたＳＣｅｌｌを含むＭＣＧのＳＣｅｌｌ設定情報を、ＳＣＧ−ＣｏｎｆｉｇＩｎｆｏのｓＣｅｌｌＴｏＡｄｄＭｏｄＬｉｓｔＭＣＧに含めてＭＮからＳＮに通知してもよい。
【０２０８】
ＳＮがＳＣＧにおいてＳＣｅｌｌを修正する場合、修正されたＳＣｅｌｌを含むＳＣＧのＳＣｅｌｌ設定情報を、ＳＣＧ−ＣｏｎｆｉｇＩｎｆｏあるいはＳＣＧ−Ｃｏｎｆｉｇのｓｃｇ−ＣｏｎｆｉｇＰａｒｔＳＣＧに含めてＳＮからＭＮに通知してもよい。
【０２０９】
上述のようにＭＮおよび／またはＳＮで修正されたＳＣｅｌｌの設定はＲＲＣ接続再設定メッセージによって端末装置２に通知される。ＲＲＣ接続再設定メッセージは、ＭＣＧのＳＣｅｌｌ追加の場合は、ＭＮからＭＣＧ  ＳＲＢを介して設定されてよい。また、ＲＲＣ接続再設定メッセージは、ＳＣＧのＳＣｅｌｌ追加の場合は、ＭＮまたはＳＮからそれぞれのＳＲＢ（ＭＣＧ  ＳＲＢまたはＳＣＧ  ＳＲＢ）を介して設定されてよい。
【０２１０】
次に、第１の基地局装置３（ＭＮ）のセル（第１のセル）をマスターセルグループのプライマリセルとして、第２の基地局装置３（ＳＮ）のセル（第２のセル）をセカンダリセルグループのプライマリセカンダリセルとして、接続状態または不活動状態の端末装置２が通信している状態において、マスターセルグループまたはセカンダリセルグループのＳＣｅｌｌを解放するときの動作の一例について説明する。ただしこの動作は、マスターセルグループまたはセカンダリセルグループのＳＣｅｌｌを開放する目的に限定されない。
【０２１１】
ＭＮがＭＣＧにおいてＳＣｅｌｌを解放する場合、解放されたＳＣｅｌｌを含むＭＣＧのＳＣｅｌｌ設定情報を、ＳＣＧ−ＣｏｎｆｉｇＩｎｆｏのｓＣｅｌｌＴｏＡｄｄＭｏｄＬｉｓｔＭＣＧに含めてＭＮからＳＮに通知してもよい。
【０２１２】
ＳＮがＳＣＧにおいてＳＣｅｌｌを解放する場合、解放されたＳＣｅｌｌを含むＳＣＧのＳＣｅｌｌ設定情報を、ＳＣＧ−ＣｏｎｆｉｇＩｎｆｏあるいはＳＣＧ−Ｃｏｎｆｉｇのｓｃｇ−ＣｏｎｆｉｇＰａｒｔＳＣＧに含めてＳＮからＭＮに通知してもよい。
【０２１３】
あるいは、ＳＮがＳＣＧにおいてＳＣｅｌｌを解放する場合に、解放するＳＣｅｌｌＩｎｄｅｘ情報をＳＮ修正必要（ＳＮ  Ｍｏｄｉｆｉｃａｔｉｏｎ  Ｒｅｑｕｉｒｅｄ）メッセージに含めてＭＮに送信する。ＭＮは、ＳＮから受信したＳＣｅｌｌを解放したＳＣｅｌｌの情報を含むＳＣＧ−ＣｏｎｆｉｇＩｎｆｏをＳＮ修正確認（ＳＮ  Ｍｏｄｉｆｉｃａｔｉｏｎ  Ｃｏｎｆｉｒｍ）メッセージに含めてＳＮに送信してもよい。
【０２１４】
上述のようにＭＮおよび／またはＳＮで解放されたＳＣｅｌｌの設定はＲＲＣ接続再設定メッセージによって端末装置２に通知される。ＲＲＣ接続再設定メッセージは、ＭＣＧのＳＣｅｌｌ解放の場合は、ＭＮからＭＣＧ  ＳＲＢを介して設定されてよい。また、Ｒ
ＲＣ接続再設定メッセージは、ＳＣＧのＳＣｅｌｌ解放の場合は、ＭＮまたはＳＮからそれぞれのＳＲＢ（ＭＣＧ  ＳＲＢまたはＳＣＧ  ＳＲＢ）を介して設定されてよい。
【０２１５】
ＲＲＣ接続再設定メッセージの一例を、図１０を用いて説明する。
【０２１６】
図１０に示すように、ＲＲＣ接続再設定メッセージは（１０Ａ）ｒｒｃ−ＴｒａｎｓａｃｔｉｏｎＩｄｅｎｔｉｆｉｅｒ、（１０Ｂ）ｍｅａｓＣｏｎｆｉｇ、（１０Ｃ）ｍｏｂｉｌｉｔｙＣｏｎｔｒｏｌＩｎｆｏ、（１０Ｄ）ｄｅｄｉｃａｔｅｄＩｎｆｏＮＡＳＬｉｓｔ、（１０Ｅ）ｒａｄｉｏＲｅｓｏｕｒｃｅＣｏｎｆｉｇＤｅｄｉｃａｔｅｄ、（１０Ｆ）ｓｅｃｕｒｉｔｙＣｏｎｆｉｇＨＯ、（１０Ｇ）ｏｔｈｅｒＣｏｎｆｉｇ、（１０Ｈ）ｆｕｌｌＣｏｎｆｉｇ、（１０Ｉ）ｓＣｅｌｌＴｏＲｅｌｅａｓｅＬｉｓｔ、（１０Ｊ）ｓＣｅｌｌＴｏＡｄｄＭｏｄＬｉｓｔ、（１０Ｋ）ｓｙｓｔｅｍＩｎｆｏｍａｔｉｏｎＢｌｏｃｋＤｅｄｉｃａｔｅｄの一部あるいは全部を含んでよい。
【０２１７】
（１０Ａ）ｒｒｃ−ＴｒａｎｓａｃｔｉｏｎＩｄｅｎｔｉｆｉｅｒは、ＲＲＣプロシージャ（トランザクション）の識別に用いられる要素であり、例えば０から３の整数を値として持つ。（１０Ｂ）ｍｅａｓＣｏｎｆｉｇは、端末装置２によって実行される（Ｐｅｒｆｏｒｍｅｄ）測定を設定するための情報であり、測定のためのギャップ期間の設定を含んでよい。（１０Ｄ）ｄｅｄｉｃａｔｅｄＩｎｆｏＮＡＳＬｉｓｔは、ネットワークと端末装置２との間でやり取りされる端末装置２固有のＮＡＳ層の情報のリストであり、ＤＲＢ毎のＮＡＳ層の情報を含み、ＲＲＣ層は透過的にこの情報を上位レイヤ（ＮＡＳ層）に転送する。（１０Ｅ）ｒａｄｉｏＲｅｓｏｕｒｃｅＣｏｎｆｉｇＤｅｄｉｃａｔｅｄは、ＳＲＢやＤＲＢの設定、変更、および／または解放に使われる情報、ＭＡＣ層の設定を変更するための情報、物理層のチャネル設定に関する情報などが含まれてよい。（１０Ｆ）ｓｅｃｕｒｉｔｙＣｏｎｆｉｇＨＯは、セキュリティに関する設定であり、例えば、ＳＲＢのＡＳ層における完全性保証（Ｉｎｔｅｇｒｉｔｙ  Ｐｒｏｔｅｃｔｉｏｎ）アルゴリズムの設定や、ＳＲＢおよび／またはＤＲＢの暗号（Ｃｉｐｈｅｒｉｎｇ）アルゴリズムの設定などを含んでよい。（１０Ｈ）ｆｕｌｌＣｏｎｆｉｇは、このＲＲＣ接続再設定メッセージに特定のオプションが適用されるか否かを示す情報であり、端末装置２は、（１０Ｈ）ｆｕｌｌＣｏｎｆｉｇがＲＲＣ接続再設定メッセージに含まれる場合に、特定の要素に含まれる設定を適用するようにしてよい。（１０Ｉ）ｓＣｅｌｌＴｏＲｅｌｅａｓｅＬｉｓｔ、（１０Ｊ）ｓＣｅｌｌＴｏＡｄｄＭｏｄＬｉｓｔは、セカンダリセルの追加、変更、および／または解放に使われる情報が含まれてよい。（１０Ｋ）ｓｙｓｔｅｍＩｎｆｏｍａｔｉｏｎＢｌｏｃｋＤｅｄｉｃａｔｅｄは、ターゲットセルの報知情報の一部を含んでよい。
【０２１８】
（１０Ｃ）ｍｏｂｉｌｉｔｙＣｏｎｔｒｏｌＩｎｆｏは、ネットワーク制御によるモビリティ（例えばハンドオ−バ）のために必要なパラメータを含む。（１０Ｃ）ｍｏｂｉｌｉｔｙＣｏｎｔｒｏｌＩｎｆｏは、ｔａｒｇｅｔＰｈｙｓＣｅｌｌＩｄ、ｃａｒｒｉｅｒＦｒｅｑ、ｃａｒｒｉｅｒＢａｎｄｗｉｄｔｈ、ｔ３０４、ｎｅｗＵＥ−Ｉｄｅｎｔｉｔｙ、ｒａｄｉｏＲｅｓｏｕｒｃｅＣｏｎｆｉｇＣｏｍｍｏｎ、ｒａｃｈ−ＣｏｎｆｉｇＤｅｄｉｃａｔｅｄ、の一部あるいは全部を含んでよい。また、（１０Ｃ）ｍｏｂｉｌｉｔｙＣｏｎｔｒｏｌＩｎｆｏは、その他の様々な情報を含んでもよい。
【０２１９】
ｔａｒｇｅｔＰｈｙｓＣｅｌｌＩｄは、ターゲットセルの識別子(例えば物理セル識別
子）を示す。ｃａｒｒｉｅｒＦｒｅｑは、端末装置２がターゲットセルで使う周波数の情報を示す。ｃａｒｒｉｅｒＢａｎｄｗｉｄｔｈは、ターゲットセルの下りリンクおよび／または上りリンクの帯域幅の情報を示す。ｔ３０４は、ハンドオ−バに関するタイマーの値を示し、例えば端末装置２は、タイマーで示される時間内にハンドオ−バが正常に完了しない場合に既定の処理を実行してもよい。ｎｅｗＵＥ−Ｉｄｅｎｔｉｔｙは、ターゲッ
トセルにおける端末装置２の新しい識別子（例えばＣ−ＲＮＴＩ）を示す。
【０２２０】
ｒａｄｉｏＲｅｓｏｕｒｃｅＣｏｎｆｉｇＣｏｍｍｏｎは、ランダムアクセスパラメータや静的な物理層パラメータなどの共通無線リソース設定を特定する（Ｓｐｅｃｉｆｙ）ために使われる情報を含む。
【０２２１】
ｒａｃｈ−ＣｏｎｆｉｇＤｅｄｉｃａｔｅｄは、端末装置２に対して割り当てられる個別のランダムアクセスパラメータを特定するために使われる情報を含む。例えば、ランダムアクセスプリアンブルのフォーマットや時間／周波数リソースを明示的に示す情報、および／またはプリアンブルの送信に用いられるヌメロロジーの情報、の一部または全部を含んでよい。
【０２２２】
（１０Ｇ）ｏｔｈｅｒＣｏｎｆｉｇは、その他の設定の一部あるいは全部が含まれる。
【０２２３】
ＲＲＣ接続再設定メッセージに含まれるセカンダリセルグループの設定（ＳＣＧ−Ｃｏｎｆｉｇｕｒａｔｉｏｎ）の一例を、図１１を用いて説明する。
【０２２４】
図１１に示すように、セカンダリセルグループの設定は（１１Ａ）ｓｃｇ−ＣｏｎｆｉｇＰａｒｔＭＣＧ、（１１Ｂ）ｓｃｇ−ＣｏｎｆｉｇＰａｒｔＳＣＧの一部あるいは全部を含んでよい。
【０２２５】
（１１Ａ）ｓｃｇ−ＣｏｎｆｉｇＰａｒｔＭＣＧは、セカンダリセルグループの設定を行う際のマスターセルグループにも関連する設定であり、例えば鍵情報の更新に関する情報および／またはマスターセルグループおよびセカンダリセルグループの電力に関する情報などが含まれてもよい。（１１Ｂ）ｓｃｇ−ＣｏｎｆｉｇＰａｒｔＳＣＧは、セカンダリセルグループの設定であり、例えば図１２に示すような、（１２Ａ）ｒａｄｉｏＲｅｓｏｕｒｃｅＣｏｎｆｉｇＤｅｄｉｃａｔｅｄＳＣＧ、ｐＳＣｅｌｌＴｏＡｄｄＭｏｄ、（１２Ｃ）ｓＣｅｌｌＴｏＡｄｄＭｏｄＬｉｓｔＳＣＧ、（１２Ｄ）ｓＣｅｌｌＴｏＲｅｌｅａｓｅＬｉｓｔＳＣＧ、および／または（１２Ｅ）ｍｏｂｉｌｉｔｙＣｏｎｔｒｏｌＩｎｆｏＳＣＧを含んでもよい。
【０２２６】
（１２Ａ）ｒａｄｉｏＲｅｓｏｕｒｃｅＣｏｎｆｉｇＤｅｄｉｃａｔｅｄＳＣＧは、ＳＣＧに対する端末装置２固有の無線リソース設定であり、ＤＲＢの追加／変更のための情報、ＭＡＣ層の設定情報、タイマーの設定値、および／または定数情報を含んでよい。（１２Ｂ）ｐＳＣｅｌｌＴｏＡｄｄＭｏｄは、ＰＳＣｅｌｌとなるセルの追加／変更情報であり、ＳＣｅｌｌ（ＰＳＣｅｌｌ）を識別するためのインデックス情報、セルの識別子（例えば物理セル識別子またはセルグロ−バル識別子）、下りリンクのキャリア周波数情報、ＰＳＣｅｌｌの共通無線リソース設定、および／またはＰＳＣｅｌｌの端末装置２固有の無線リソース設定の情報が含まれてよい。
【０２２７】
（１２Ｃ）ｓＣｅｌｌＴｏＡｄｄＭｏｄＬｉｓｔＳＣＧは、セカンダリセルグループのＳＣｅｌｌとなるセルの追加／変更情報であり、１つまたは複数のＳＣｅｌｌ情報のリストを含んでよい。さらに、各ＳＣｅｌｌ情報にはＳＣｅｌｌを識別するためのＳＣｅｌｌインデックス情報、セルの識別子（例えば物理セル識別子またはセルグロ−バル識別子）、下りリンクのキャリア周波数情報、および／またはＳＣｅｌｌの共通無線リソース設定の情報が含まれてよい。（１２Ｄ）ｓＣｅｌｌＴｏＲｅｌｅａｓｅＬｉｓｔＳＣＧは、セカンダリセルグループのＳＣｅｌｌを解放するための情報であり、１つまたは複数のＳＣｅｌｌインデックス情報のリストを含んでよい。
【０２２８】
（１２Ｅ）ｍｏｂｉｌｉｔｙＣｏｎｔｒｏｌＩｎｆｏＳＣＧは、セカンダリセルグルー
プの変更に必要な情報であり、セカンダリセルグループにおいて端末装置２に割り当てられる識別子、端末装置２に対して割り当てられる個別のランダムアクセスパラメータを特定するために使われる情報、および／または暗号アルゴリズムに関する情報が含まれてよい。
【０２２９】
なお、上記メッセージは一例であり、ＲＲＣ接続再設定メッセージは上記ＲＲＣ接続再設定メッセージ以外の情報を含んでもよいし、上記ＲＲＣ接続再設定メッセージの一部の情報を含まなくてもよい。また、ＲＲＣ接続再設定メッセージは、上記ＲＲＣ接続再設定メッセージとは異なる構造、情報要素名、あるいはパラメータ名でもよい。
【０２３０】
次に、ＭＮとＳＮから端末装置２に対して測定設定を設定する動作の一例について説明する。
【０２３１】
まず、ＭＮとＳＮの測定対象が共通である場合の測定設定の一例について図１３および図１４を使って説明する。
【０２３２】
図１３において、ＭＮは、ＭＣＧ  ＳＲＢを介して、ＳＮと共通で使用可能な測定対象を含む測定設定を端末装置２に設定する（ステップＳ１３２）。それに先立ち、ＳＮが必要とする測定対象の情報がＭＮに通知されてもよい（ステップＳ１３１）。ＳＮが必要とする測定対象の情報は、ＳＮ追加要求肯定メッセージあるいはＳＮ修正要求肯定メッセージあるいはＳＮ追加必要メッセージあるいはＳＮ修正必要メッセージあるいはその他のＲＲＣメッセージで通知されてもよい。
【０２３３】
ＭＮが、ＥＵＴＲＡＮ、ＳＮが、ＮＧ−ＲＡＮで、ＭＮは、ＥＵＴＲＡＮ  ＲＲＣメッセージ（ＬＴＥ  ＲＲＣメッセージ、ＥＵＴＲＡ  ＲＲＣメッセージとも称する）、ＳＮは、ＮＧ−ＲＡＮ  ＲＲＣメッセージ（ＮＲ  ＲＲＣメッセージとも称する）を使うかもしれない。ＥＵＴＲＡＮ  ＲＲＣメッセージでは、ＮＲをＩｎｔｅｒＲＡＴの設定として設定するが、ＮＧ−ＲＡＮ  ＲＲＣメッセージでは、ＥＵＴＲＡをＩｎｔｅｒＲＡＴの設定として設定する。
【０２３４】
測定設定が成功した場合（例えば端末装置２からＲＲＣ接続再設定完了メッセージを受信した場合）、ＭＮはＳＮに対して設定された測定対象の情報を通知してもよい（ステップＳ１３３）。
【０２３５】
ＳＮは、ＳＣＧ  ＳＲＢを介して、測定対象を含まない測定設定を端末装置２に設定する（ステップＳ１３４）。
【０２３６】
ここで、ステップＳ１３２およびステップＳ１３４で設定される測定設定の一例を図１４に示す。
【０２３７】
図１４において、ＭＮ側では、端末装置２に対して、５つの測定対象が設定され、２つのｒｅｐｏｒｔＣｏｎｆｉｇＥＵＴＲＡと１つのｒｅｐｏｒｔＣｏｎｆｉｇＩｎｔｅｒＲＡＴが設定されている。この３つの報告設定とそれぞれ紐づけられた測定対象の組み合わせに対して測定識別子が設定されている。ＳＮ側では、端末装置２に対して、ＭＮと共通の５つの測定対象が設定され、３つのｒｅｐｏｒｔＣｏｎｆｉｇＮＲが設定されている。この３つの報告設定とそれぞれ紐づけられた測定対象の組み合わせに対して測定識別子が設定されている。
【０２３８】
このとき、サービングセルとして、ＭＮ側の測定におけるサービングセルはＭＮのセル（ＭＣＧのセル）のみとしてもよいし、ＭＮとＳＮの両方のセルとしてもよい。例えば、
ＭＮ側の測定におけるサービングセルをＭＮのセルのみとした場合、ＳＮのセルのみの周波数では、この周波数に対するＥｖｅｎｔＡ６をＭＮ側の測定でサポートしない。すなわち、端末装置２はＳＮのセルのみの周波数の測定対象にＥｖｅｎｔＡ６が紐づけられた場合、この設定を有効とみなさない。また、ＭＮ側の測定におけるサービングセルをＭＮとＳＮの両方のセルとした場合、ＳＮのセルのみの周波数で、この周波数に対するＥｖｅｎｔＡ６をＭＮ側の測定でサポートしてもよい。
【０２３９】
また、サービングセルとして、ＳＮ側の測定におけるサービングセルはＳＮのセル（ＳＣＧのセル）のみとしてもよいし、ＭＮとＳＮの両方のセルとしてもよい。例えば、ＳＮ側の測定におけるサービングセルをＳＮのセルのみとした場合、ＭＮのセルのみの周波数では、この周波数に対するＥｖｅｎｔＡ６をＳＮ側の測定でサポートしない。すなわち、端末装置２はＭＮのセルのみの周波数の測定対象にＥｖｅｎｔＡ６が紐づけられた場合、この設定を有効とみなさない。また、ＳＮ側の測定におけるサービングセルをＭＮとＳＮの両方のセルとした場合、ＭＮのセルのみの周波数で、この周波数に対するＥｖｅｎｔＡ６をＭＮ側の測定でサポートしてもよい。
【０２４０】
また、各測定対象はすべて異なる周波数であってもよい。あるいは、ｍｅａｓＯｂｊｅｃｔＥＵＴＲＡ内およびｍｅａｓＯｂｊｅｃｔＮＲ内では異なる周波数として、ｍｅａｓＯｂｊｅｃｔＥＵＴＲＡとｍｅａｓＯｂｊｅｃｔＮＲとで同じ周波数を持ってもよい。
【０２４１】
上記測定設定が設定された端末装置２は、ＭＮに設定された（ＭＣＧ  ＳＲＢで設定された）報告設定の条件を満たす場合（ステップＳ１３５）に、測定結果をＭＮに（ＭＣＧ
ＳＲＢを介して）通知する（ステップＳ１３６）また、ＳＮに設定された（ＳＣＧ  ＳＲＢで設定された）報告設定の条件を満たす場合（ステップＳ１３７）に、測定結果をＳＮに（ＳＣＧ  ＳＲＢを介して）通知する（ステップＳ１３８）。
【０２４２】
これにより、測定対象の周波数が重複することなく効率的な測定を行うことができる。
【０２４３】
なお、上記処理において、ＳＮが測定対象の一部をステップＳ１３４において設定してもよい。この場合、測定対象識別子はＳＮのために予め予約された値を使ってもよい。これにより、ＳＮによる測定設定の自由度をあげることができる。
【０２４４】
次に、ＭＮとＳＮの測定対象が独立している場合の測定設定の一例について図１５および図１６を使って説明する。
【０２４５】
図１５において、ＭＮは、ＭＣＧ  ＳＲＢを介して、ＳＮと独立した測定対象を含む測定設定を端末装置２に設定する（ステップＳ１５２）。それに先立ち、ＭＮとＳＮがお互いに設定する測定対象の情報を通知してもよい（ステップＳ１５１）。
【０２４６】
ＳＮは、ＳＣＧ  ＳＲＢを介して、ＭＮと独立した測定対象を含む測定設定を端末装置２に設定する（ステップＳ１５３）。
【０２４７】
ここで、ステップＳ１５２およびステップＳ１５３で設定される測定設定の一例を図１６に示す。
【０２４８】
図１６において、ＭＮ側では、端末装置２に対して、３つの測定対象が設定され、２つのｒｅｐｏｒｔＣｏｎｆｉｇＥＵＴＲＡと１つのｒｅｐｏｒｔＣｏｎｆｉｇＩｎｔｅｒＲＡＴが設定されている。この３つの報告設定とそれぞれ紐づけられた測定対象の組み合わせに対して測定識別子が設定されている。ＳＮ側では、端末装置２に対して、ＭＮとは独立した３つの測定対象が設定され、３つのｒｅｐｏｒｔＣｏｎｆｉｇＮＲが設定されてい
る。この３つの報告設定とそれぞれ紐づけられた測定対象の組み合わせに対して測定識別子が設定されている。
【０２４９】
このとき、サービングセルとして、ＭＮ側の測定におけるサービングセルはＭＮのセル（ＭＣＧのセル）のみとして、ＳＮ側の測定におけるサービングセルはＳＮのセル（ＳＣＧのセル）のみとしてもよい。
【０２５０】
上記測定設定が設定された端末装置２は、ＭＮに設定された（ＭＣＧ  ＳＲＢで設定された）報告設定の条件を満たす場合（ステップＳ１５４）に、測定結果をＭＮに（ＭＣＧ
ＳＲＢを介して）通知する（ステップＳ１５５）また、ＳＮに設定された（ＳＣＧ  ＳＲＢで設定された）報告設定の条件を満たす場合（ステップＳ１５６）に、測定結果をＳＮに（ＳＣＧ  ＳＲＢを介して）通知する（ステップＳ１５７）。
【０２５１】
これにより、ＭＮとＳＮはお互いの設定に影響されることなく効率的な測定を行うことができる。
【０２５２】
前記図１６の説明において、ＳＮ側の測定で設定される測定対象の周波数はＳＣＧのサービングセルの周波数のみとして、それ以外の周波数はＭＮ側の測定でのみ設定されるようにしてもよい。例えば、ＳＮがＳＣＧのサービングセルの周波数以外の測定を必要とする周波数の測定対象の情報（例えば測定対象ＮＲに含まれる情報の一部あるいは全部）をＭＮに通知し、ＭＮが測定対象を設定するようにしてもよい。このような制約を設けることにより、ＭＮとＳＮのそれぞれから独立して設定された測定の周波数の組み合わせが、端末装置２の無線構成で対応できない可能性を排除することができる。
【０２５３】
次に、測定報告について説明する。図１７は端末装置２がＭＮおよび／またはＳＮに報告する測定結果（ｍｅａｓＲｅｓｕｌｔｓ）の一例を示す図である。測定結果には報告をトリガした測定識別子（ｍｅａｓＩｄ）、ＰＣｅｌｌの受信電力（ＲＳＲＰまたはＳＳＲＰ）および／または受信品質（ＲＳＲＱまたはＳＳＲＱ）を含む情報（ｍｅａｓＲｅｓｕｌｔＰＣｅｌｌ）、測定識別子に対応する隣接セルの測定結果（ｍｅａｓＲｅｓｕｌｔＮｅｉｇｈＣｅｌｌｓ）、サービング周波数の測定結果のリスト（ｍｅａｓＲｅｓｕｌｔＳｅｒｖＦｒｅｑＬｉｓｔ）の一部あるいは全部を含んでよい。隣接セルの測定結果には、１つまたは複数のＲＡＴ毎の測定結果（ｍｅａｓＲｅｓｕｌｔＬｉｓｔＥＵＴＲＡ、ｍｅａｓＲｅｓｕｌｔＬｉｓｔＮＲ、ＭｅａｓＲｅｓｕｌｔＬｉｓｔＮＲ、ｍｅａｓＲｅｓｕｌｔＬｉｓｔＵＴＲＡ、ｍｅａｓＲｅｓｕｌｔＬｉｓｔＧＥＲＡＮ、ｍｅａｓＲｅｓｕｌｔｓＣＤＭＡ２０００）が含まれてよい。
【０２５４】
サービング周波数の測定結果のリスト（ｍｅａｓＲｅｓｕｌｔＳｅｒｖＦｒｅｑＬｉｓｔ）の一例を図１８に示す。図１８に示すようにサービング周波数の測定結果のリストは、１または複数のサービング周波数の測定結果（ＭｅａｓＲｅｓｕｌｔＳｅｒｖＦｒｅｑ）で構成されてよい。サービング周波数の測定結果には、サービング周波数の識別子としてＳｅｒｖＣｅｌｌＩｎｄｅｘと、その周波数のＳＣｅｌｌの受信電力（ＲＳＲＰまたはＳＳＲＰ）および／または受信品質（ＲＳＲＱまたはＳＳＲＱ）を含む情報（ｍｅａｓＲｅｓｕｌｔＰＣｅｌｌ）、その周波数の隣接セルでもっとも良い受信電力（ＲＳＲＰまたはＳＳＲＰ）および／または受信品質（ＲＳＲＱまたはＳＳＲＱ）のセルのセル識別子および受信電力（ＲＳＲＰまたはＳＳＲＰ）および／または受信品質（ＲＳＲＱまたはＳＳＲＱ）の一部あるいは全部を含んでよい。
【０２５５】
隣接セルの測定結果のリスト（ｍｅａｓＲｅｓｕｌｔＬｉｓｔＥＵＴＲＡ、ｍｅａｓＲｅｓｕｌｔＬｉｓｔＮＲ）の一例を図１９に示す。図１９に示すように隣接セルの測定結果のリストは、１または複数の隣接セルの測定結果（ｍｅａｓＲｅｓｕｌｔＥＵＴＲＡ、
ｍｅａｓＲｅｓｕｌｔＮＲ）で構成されてよい。隣接セルの測定結果には、隣接セルの識別子（物理セル識別子やセルグローバル識別子）や、そのセルの受信電力（ＲＳＲＰまたはＳＳＲＰ）および／または受信品質（ＲＳＲＱまたはＳＳＲＱ）を含む情報（ｍｅａｓＲｅｓｕｌｔ）の一部あるいは全部が含まれてよい。
【０２５６】
また、上記測定結果のサービング周波数の測定結果のリスト（ｍｅａｓＲｅｓｕｌｔＳｅｒｖＦｒｅｑＬｉｓｔ）をＭＮのセルとＳＮのセル（ＭＣＧとＳＣＧ）とに分けてもよい。例えば、ＭＮのセルのサービング周波数の測定結果のリスト（ｍｅａｓＲｅｓｕｌｔＳｅｒｖＦｒｅｑＬｉｓｔＭＣＧ）とＳＮのセルのサービング周波数の測定結果のリスト（ｍｅａｓＲｅｓｕｌｔＳｅｒｖＦｒｅｑＬｉｓｔＳＣＧ）とに分けてもよい。さらに、ｍｅａｓＲｅｓｕｌｔＳｅｒｖＦｒｅｑＬｉｓｔＭＣＧとｍｅａｓＲｅｓｕｌｔＳｅｒｖＦｒｅｑＬｉｓｔＳＣＧとをＭＮに報告し、ｍｅａｓＲｅｓｕｌｔＳｅｒｖＦｒｅｑＬｉｓｔＳＣＧのみをＳＮに通知してもよい。
【０２５７】
また、上記測定結果の隣接セルの測定結果のリストを生成する際に、ＭＣＧとＳＣＧの何れかのグループのみをサービングセルとみなし、残りのグループのセルを隣接セルとみなしてもよい。例えばＭＣＧがＥＵＴＲＡのセルでＳＣＧがＮＲのセルで構成されている場合、ＭＮに対する測定報告は、ＭＣＧのセルのみをサービングセルとみなして、ＳＣＧのセルを隣接セルとみなして必要であればｍｅａｓＲｅｓｕｌｔＬｉｓｔＮＲを用いてＭＮに報告してもよい。また、ＳＮに対する測定報告は、ＳＣＧのセルのみをサービングセルとみなして、ＭＣＧのセルを隣接セルとみなして必要であればｍｅａｓＲｅｓｕｌｔＬｉｓｔＥＵＴＲＡを用いてＳＮに報告してもよい。
【０２５８】
端末装置２は上記報告を行う際に、ＭＮから通知される情報に基づき、ＭＮおよび／またはＳＮに対して報告する測定報告に何れのサービングセルの測定結果を含めるかを決定してもよい。例えば、ＳＮへの報告を制限する情報がＭＮから通知された場合、端末装置２は、ＭＮに対してはサービングセルの測定結果としてＭＣＧのセルとＳＣＧのセルの測定結果を含めて報告し、ＳＮに対してはサービングセルの測定結果としてＳＣＧのセルの測定結果のみを含めて報告してもよい。また、全体の報告を制限する情報がＭＮから通知された場合、端末装置２は、ＭＮに対してはサービングセルの測定結果としてＭＣＧのセルの測定結果のみを含めて報告し、ＳＮに対してはサービングセルの測定結果としてＳＣＧのセルの測定結果のみを含めて報告してもよい。
【０２５９】
これにより、基地局装置３が、端末装置２に対して適切な無線リソース設定を行うことができる。
【０２６０】
本発明の実施形態における装置の構成について説明する。
【０２６１】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０２６２】
上位層処理部２４は、ユ−ザの操作等により生成された上りリンクデ−タ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤ
ＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０２６３】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジュ−リングリクエストの伝送の制御を行う。
【０２６４】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０２６５】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、デ−タを変調、符号化することによって送信信号を生成し、基地局装置３に送信する。
【０２６６】
ＲＦ部２２は、アンテナ部２１を介して受信した信号を、直交復調によりベースバンド信号に変換し（ダウンコンバ−ト:  ｄｏｗｎ  ｃｏｖｅｒｔ）、不要な周波数成分を除
去する。ＲＦ部２２は、処理をしたアナログ信号をベースバンド部に出力する。
【０２６７】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フ−リエ変換（Ｆａｓｔ  Ｆｏｕｒｉｅｒ  Ｔｒａｎｓｆｏｒｍ：ＦＦＴ）を行い、周波数領域の信号を抽出する。
【０２６８】
ベースバンド部２３は、デ−タを逆高速フ−リエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０２６９】
ＲＦ部２２は、ロ−パスフィルタを用いてベースバンド部２３から入力されたアナログ信号から余分な周波数成分を除去し、アナログ信号を搬送波周波数にアップコンバ−ト（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０２７０】
なお、端末装置２は、複数の周波数（周波数帯、周波数帯域幅）またはセルの同一サブフレ−ム内での送受信処理をサポートするために各部の一部あるいはすべてを複数備える構成であってもよい。
【０２７１】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含
んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０２７２】
上位層処理部３４は、媒体アクセス制御（ＭＡＣ：  Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０２７３】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジュ−リングリクエストに関する処理を行う。
【０２７４】
上位層処理部３４が備える無線リソース制御層処理部３６は、無線リソース制御層の処理を行う。無線リソース制御層処理部３６は、物理下りリンク共用チャネルに配置される下りリンクデ−タ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノ−ドから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０２７５】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０２７６】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデ−タ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケ−ション層処理部が存在している。
【０２７７】
なお、図中の「部」とは、セクション、回路、構成装置、デバイス、ユニットなど用語によっても表現される、端末装置２および基地局装置３の機能および各手順を実現する要素である。
【０２７８】
端末装置２が備える符号２０から符号２６が付された部のそれぞれは、回路として構成されてもよい。基地局装置３が備える符号３０から符号３６が付された部のそれぞれは、回路として構成されてもよい。
【０２７９】
本発明の実施形態における、端末装置２および基地局装置３の種々の態様について説明する。
【０２８０】
（１）本発明の第１の態様は、１または複数の基地局装置から測定設定を受信する端末装置であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信する受信部と、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する送信部とを備え、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【０２８１】
（２）本発明の第１において、前記第１のＳＲＢから通知される信号に基づいて、前記第２の測定結果に含めるサービングセルの測定結果に、第１のセルグループのサービングセルの測定結果を含めるか否かを判断する。
【０２８２】
（３）本発明の第２の態様は、端末装置に測定設定を送信する基地局装置（第１の基地局装置）であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断する制御部と、第１の基地局装置のセルグループのサービングセルの測定結果を含めるか否かを示す情報を前記端末装置に送信する送信部とを備える。
【０２８３】
（４）本発明の第３の態様は、１または複数の基地局装置から測定設定を受信する端末装置に適用される通信方法であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信するステップと、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信するステップとを含み、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【０２８４】
（５）本発明の第４の態様は、端末装置に測定設定を送信する基地局装置（第１の基地局装置）に適用される通信方法であって、前記測定設定には、測定対象と報告設定と測定
識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断するステップと、第１の基地局装置のセルグループのサービングセルの測定結果を含めるか否かを示す情報を前記端末装置に送信するステップとを含む。
【０２８５】
（６）本発明の第５の態様は、１または複数の基地局装置から測定設定を受信する端末装置に実装される集積回路であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信する機能と、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する機能とを前記端末装置に対して発揮させ、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【０２８６】
（７）本発明の第６の態様は、端末装置に測定設定を送信する基地局装置（第１の基地局装置）に実装される集積回路であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断する機能と、第１の基地局装置のセルグループのサービングセルの測定結果を含めるか否かを示す情報を前記端末装置に送信する機能とを前記基地局装置に対して発揮させる。
【０２８７】
これにより、端末装置  ２および基地局装置３は、効率的に通信を行うことができる。
【０２８８】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２８９】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２９０】
端末装置２は、ユ−ザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０２９１】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０２９２】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノ−ドの機能の一部または全部を有してもよい。
【０２９３】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２９４】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０２９５】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０２９６】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジ
タルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２９７】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２９８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２９９】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2020080444.tif 000003
【図２】
2020080444.tif 000004
【図３】
2020080444.tif 000005
【図４】
2020080444.tif 000006
【図５】
2020080444.tif 000007
【図６】
2020080444.tif 000008
【図７】
2020080444.tif 000009
【図８】
2020080444.tif 000010
【図９】
2020080444.tif 000011
【図１０】
2020080444.tif 000012
【図１１】
2020080444.tif 000013
【図１２】
2020080444.tif 000014
【図１３】
2020080444.tif 000015
【図１４】
2020080444.tif 000016
【図１５】
2020080444.tif 000017
【図１６】
2020080444.tif 000018
【図１７】
2020080444.tif 000019
【図１８】
2020080444.tif 000020
【図１９】
2020080444.tif 000021